(57)【要約】  信号報告の方法、端末装置、及びネットワーク装置であり、Ｌ１−ＲＳＲＰ以外の報告量に対して測定を行うように端末装置を設定することができ、信号の柔軟な測定を実現することに利し、それと同時に、信号選択の信頼性を高めることにも利する。該方法は、端末装置がリソース設定情報に基づいて、信号測定に用いる測定待ち信号を決定することと、前記端末装置が前記測定待ち信号の第１報告量に対して測定を行って、前記測定待ち信号の前記第１報告量の測定結果を取得し、前記第１報告量はレイヤ１‐参照信号受信電力（Ｌ１−ＲＳＲＰ）以外の他の報告量を含むことと、前記端末装置が前記測定待ち信号の前記第１報告量の測定結果に基づいて、前記測定待ち信号の中から報告する必要がある信号を決定することと、を含む。
2022500888.tif 000002
【特許請求の範囲】
【請求項１】
信号報告の方法であって、
端末装置がリソース設定情報に基づいて、信号測定に用いる測定待ち信号を決定することと、
前記端末装置が前記測定待ち信号の第１報告量に対して測定を行って、前記測定待ち信号の前記第１報告量の測定結果を取得し、前記第１報告量はレイヤ１‐参照信号受信電力（Ｌ１−ＲＳＲＰ）以外の他の報告量を含むことと、
前記端末装置が前記測定待ち信号の前記第１報告量の測定結果に基づいて、前記測定待ち信号の中から報告する必要がある信号を決定することと、を含むことを特徴とする信号報告の方法。
【請求項２】
前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）であることを特徴とする請求項１に記載の方法。
【請求項３】
前記第１報告量は更に参照信号リソース識別子関連の情報を含むことを特徴とする請求項２に記載の方法。
【請求項４】
前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含むことを特徴とする請求項３に記載の方法。
【請求項５】
前記端末装置が前記測定待ち信号の第１報告量に対して測定を行って、前記測定待ち信号の前記第１報告量の測定結果を取得することは、
前記端末装置が前記測定待ち信号に対して測定を行って、有用信号の情報を取得することと、
前記端末装置が対応する干渉及び雑音の情報又は総エネルギーを取得することと、
前記端末装置が前記有用信号の情報、及び前記干渉及び雑音の情報又は前記総エネルギーに基づいて、前記測定待ち信号のＬ１−ＳＩＮＲ又はＬ１−ＲＳＲＱの測定結果を決定することと、を含むことを特徴とする請求項１乃至４のいずれか１項に記載の方法。
【請求項６】
前記リソース設定情報は第１リソース設定情報のみを含み、前記第１リソース設定情報はＮ個の第１信号を指示することに用いられ、前記測定待ち信号は前記Ｎ個の第１信号を含み、前記Ｎは正の整数であり、前記端末装置が前記測定待ち信号に対して測定を行って、有用信号の情報を取得することは、
前記端末装置が前記第１リソース設定情報により指示される第１信号を測定して、前記第１信号に対応する有用信号の情報を取得することを含むことを特徴とする請求項５に記載の方法。
【請求項７】
前記端末装置が対応する干渉及び雑音の情報又は総エネルギーを取得することは、
前記第１報告量がＬ１−ＳＩＮＲを含む場合、前記端末装置が前記第１信号を搬送するリソースエレメント（ＲＥ）において、前記第１信号に対応する干渉及び雑音の情報を取得し、又は、
前記第１報告量がＬ１−ＲＳＲＱを含む場合、前記端末装置が前記第１信号を搬送する一部又は全部のシンボルに基づいて、前記第１信号に対応する総エネルギーを取得することを含むことを特徴とする請求項６に記載の方法。
【請求項８】
前記端末装置が前記有用信号の情報、及び前記干渉及び雑音の情報、又は前記総エネルギーに基づいて、前記測定待ち信号のＬ１−ＳＩＮＲ又はＬ１−ＲＳＲＱの測定結果を決定することは、
前記端末装置が、前記第１信号に対応する有用信号の情報、及び前記第１信号に対応する前記干渉及び雑音の情報に基づいて、前記第１信号に対応するＬ１−ＳＩＮＲの測定結果を決定し、又は、
前記端末装置が前記第１信号に対応する有用信号の情報、及び前記第１信号に対応する前記総エネルギーに基づいて、前記第１信号に対応するＬ１−ＲＳＲＱの測定結果を決定することを含むことを特徴とする請求項７に記載の方法。
【請求項９】
前記第１信号の送信ポートは１つであることを特徴とする請求項６乃至８のいずれか１項に記載の方法。
【請求項１０】
前記第１信号の送信ポートは複数であり、前記第１信号に対応するＬ１−ＳＩＮＲ又はＬ１−ＲＳＲＱの測定結果は、
複数ポートにおける各ポートに対応する有用信号の情報、及び前記各ポートに対応する干渉及び雑音の情報を決定し、
前記各ポートに対応する有用信号の情報、及び前記各ポートに対応する干渉及び雑音又は総エネルギーの情報に基づいて、前記各ポートに対応するＬ１−ＳＩＮＲ又はＬ１−ＲＳＲＱの測定結果を決定し、
前記各ポートに対応するＬ１−ＳＩＮＲ又はＬ１−ＲＳＲＱの測定結果の平均値、最大値、又は最小値を、前記第１信号に対応するＬ１−ＳＩＮＲ又はＬ１−ＲＳＲＱの測定結果として決定する、という方式で決定されることを特徴とする請求項６乃至８のいずれか１項に記載の方法。
【請求項１１】
前記第１信号の送信ポートは複数であり、前記第１信号に対応するＬ１−ＳＩＮＲの測定結果は、
複数ポートにおける各ポートに対応する有用信号の情報を決定し、前記複数ポートにおける各ポートに対応する有用信号の情報における平均値、最大値、又は最小値を、前記第１信号に対応する有用信号の情報として決定し、
前記各ポートに対応する干渉及び雑音又は総エネルギーの情報を決定し、前記複数ポートにおける前記各ポートに対応する干渉及び雑音の情報又は総エネルギーにおける平均値、最大値、又は最小値を、前記第１信号に対応する干渉及び雑音の情報又は総エネルギーとして決定し、
前記第１信号に対応する有用信号の情報、及び前記第１信号に対応する干渉及び雑音の情報又は総エネルギーに基づいて、前記第１信号に対応するＬ１−ＳＩＮＲ又はＬ１−ＲＳＲＱの測定結果を決定する、という方式で決定されることを特徴とする請求項６乃至８のいずれか１項に記載の方法。
【請求項１２】
前記第１信号に対応する有用信号の情報を取得することに用いられる帯域幅と、前記第１信号に対応する干渉及び雑音の情報を取得することに用いられるＲＥ及び帯域幅とは同じであることを特徴とする請求項６乃至１１のいずれか１項に記載の方法。
【請求項１３】
前記第１信号に対応する総エネルギーは、サービングセル、同周波数セルの信号及び雑音のエネルギーを含むことを特徴とする請求項６乃至１１のいずれか１項に記載の方法。
【請求項１４】
前記端末装置に１つのリソース設定情報のみが設定される場合、前記１つのリソース設定情報はＬ１−ＲＳＲＰ、Ｌ１−ＳＩＮＲ又はＬ１−ＲＳＲＱのチャネル測定に用いられることを特徴とする請求項５乃至１３のいずれか１項に記載の方法。
【請求項１５】
前記リソース設定情報は第１リソース設定情報及び第２リソース設定情報を含み、前記第１リソース設定情報はＮ個の第１信号を指示することに用いられ、前記測定待ち信号は前記Ｎ個の第１信号を含み、前記Ｎは正の整数であり、前記第２リソース設定情報は、干渉及び雑音測定又は総エネルギー測定を行うリソース位置又は第２信号を設定することに用いられることを特徴とする請求項１乃至４のいずれか１項に記載の方法。
【請求項１６】
前記端末装置が前記測定待ち信号に対して測定を行って、有用信号の情報を取得することは、
前記端末装置が前記第１リソース設定情報により指示される第１信号を測定して、前記第１信号に対応する有用信号の情報を取得することを含むことを特徴とする請求項１５に記載の方法。
【請求項１７】
前記端末装置が対応する干渉及び雑音の情報又は総エネルギーを取得することは、
前記第１報告量がＬ１−ＳＩＮＲを含む場合、前記端末装置が前記第２リソース設定情報により指示されるリソース位置又は第２信号に基づいて、対応する干渉及び雑音の情報を取得し、又は、
前記第１報告量がＬ１−ＲＳＲＱを含む場合、前記端末装置が前記第２リソース設定情報により指示されるリソース位置又は第２信号に基づいて、対応する総エネルギーを取得することを含むことを特徴とする請求項１６に記載の方法。
【請求項１８】
前記第１信号に対応する有用信号を取得することに用いられる帯域幅と、前記干渉及び雑音の情報を取得することに用いられるＲＥ及び帯域幅とは同じであることを特徴とする請求項１７に記載の方法。
【請求項１９】
前記総エネルギーは、サービングセル、同周波数セルの信号及び雑音のエネルギーを含むことを特徴とする請求項１７又は１８に記載の方法。
【請求項２０】
前記端末装置が前記有用信号の情報、及び干渉及び雑音の情報又は総エネルギーに基づいて、前記測定待ち信号のＬ１−ＳＩＮＲ又はＬ１−ＲＳＲＱの測定結果を決定することは、
前記端末装置が、前記第１信号に対応する有用信号の情報、及び前記干渉及び雑音の情報に基づいて、前記第１信号に対応するＬ１−ＳＩＮＲの測定結果を決定し、又は、
前記端末装置が前記第１信号に対応する有用信号の情報、及び前記総エネルギーに基づいて、前記第１信号に対応するＬ１−ＲＳＲＱの測定結果を決定することを含むことを特徴とする請求項１７乃至１９のいずれか１項に記載の方法。
【請求項２１】
前記干渉及び雑音測定のためのリソース位置は、干渉及び雑音測定のためのシンボル位置及び／又はサブキャリア位置を含むことを特徴とする請求項１５乃至２０のいずれか１項に記載の方法。
【請求項２２】
前記リソース設定情報は更に第３リソース設定情報を含み、前記第３リソース設定情報は、干渉及び雑音測定を行うリソース位置又は第３信号を設定することに用いられることを特徴とする請求項１５乃至２１のいずれか１項に記載の方法。
【請求項２３】
前記第１信号と前記第２信号の送信ポートは１つであることを特徴とする請求項１５乃至２２のいずれか１項に記載の方法。
【請求項２４】
前記第１信号の送信ポートは複数の第１送信ポートであり、前記第２信号の送信ポートは少なくとも１つの第２送信ポートであり、前記第１信号に対応するＬ１−ＳＩＮＲ又はＬ１−ＲＳＲＱの測定結果は、
複数の第１送信ポートにおける各第１送信ポートに対応する有用信号の情報、及び各第２送信ポートに対応する干渉及び雑音の情報又は総エネルギーを決定し、
前記各第１送信ポートの有用信号の情報、及び対応する第２送信ポートの干渉及び雑音の情報又は総エネルギーに基づいて、前記各第１送信ポートのＬ１−ＳＩＮＲ又はＬ１−ＲＳＲＱの測定結果を決定し、
前記各第１送信ポートに対応するＬ１−ＳＩＮＲ又はＬ１−ＲＳＲＱの測定結果の平均値、最大値、又は最小値を、前記第１信号に対応するＬ１−ＳＩＮＲ又はＬ１−ＲＳＲＱの測定結果として決定する、という方式で決定されることを特徴とする請求項１５乃至２２のいずれか１項に記載の方法。
【請求項２５】
前記第１信号の送信ポートは複数の第１送信ポートであり、前記第２信号の送信ポートは少なくとも１つの第２送信ポートであり、前記第１信号に対応するＬ１−ＳＩＮＲ又はＬ１−ＲＳＲＱの測定結果は、
複数の第１送信ポートにおける各第１送信ポートの有用信号の情報を決定し、前記複数の第１送信ポートにおける各第１送信ポートの有用信号の情報における平均値、最大値、又は最小値を、前記第１信号に対応する有用信号の情報として決定し、
前記各第２送信ポートの干渉及び雑音の情報又は総エネルギーを決定し、前記少なくとも１つの第２送信ポートにおける前記各第２送信ポートの干渉及び雑音の情報又は総エネルギーにおける平均値、最大値、又は最小値を、対応する干渉及び雑音の情報又は総エネルギーとして決定し、
前記第１信号に対応する有用信号の情報、及び対応する干渉及び雑音の情報又は総エネルギーに基づいて、前記第１信号に対応するＬ１−ＳＩＮＲ又はＬ１−ＲＳＲＱの測定結果を決定する、という方式で決定されることを特徴とする請求項１５乃至２２のいずれか１項に記載の方法。
【請求項２６】
前記測定待ち信号がＣＳＩ−ＲＳ及びＳＳＢにおける信号を含む場合、前記ＣＳＩ−ＲＳと前記ＳＳＢにおける信号は１対１に対応し、疑似コロケーション（ＱＣＬ）関係を満たすことを特徴とする請求項１乃至２５のいずれか１項に記載の方法。
【請求項２７】
前記測定待ち信号がＣＳＩ−ＲＳ及びＳＳＢにおける信号を含む場合、前記ＣＳＩ−ＲＳと前記ＳＳＢはＱＣＬ関係を満たさないことを特徴とする請求項１乃至２５のいずれか１項に記載の方法。
【請求項２８】
前記方法は更に、
前記端末装置が、
周期的に、非周期的に、物理アップリンク共有チャネル（ＰＵＳＣＨ）において半持続的にフィードバック、物理アップリンク制御チャネル（ＰＵＣＣＨ）において半持続的にフィードバック、という方式のうちの１つで、前記ネットワーク装置に報告する必要がある信号を報告することを含むことを特徴とする請求項１乃至２７のいずれか１項に記載の方法。
【請求項２９】
前記方法は更に、
ビームグループに基づく信号報告をサポートするかどうかを前記端末装置に設定するように、前記端末装置がネットワーク装置からの第１設定情報を受信することを含むことを特徴とする請求項１乃至２８のいずれか１項に記載の方法。
【請求項３０】
前記方法は更に、
報告する信号の個数を設定するように、前記端末装置がネットワーク装置からの第２設定情報を受信することを含むことを特徴とする請求項１乃至２９のいずれか１項に記載の方法。
【請求項３１】
前記方法は更に、
ブロードバンドレポート又はサブバンドレポートを行うように前記端末装置を設定するために、前記端末装置がネットワーク装置からの第３設定情報を受信することを含むことを特徴とする請求項１乃至３０のいずれか１項に記載の方法。
【請求項３２】
信号報告の方法であって、
ネットワーク装置が端末装置にリソース設定情報を送信し、前記リソース設定情報は、前記端末装置が信号測定する測定待ち信号を決定して、前記測定待ち信号の第１報告量を測定し、前記測定待ち信号の第１報告量の測定結果を取得することに用いられ、前記第１報告量はレイヤ１‐参照信号受信電力（Ｌ１−ＲＳＲＰ）以外の他の報告量を含むことと、
前記ネットワーク装置が前記端末装置から送信された報告結果を受信し、前記報告結果は、前記端末装置が前記測定待ち信号の前記第１報告量の測定結果に基づいて、前記測定待ち信号の中から決定した信号の情報を含むことと、を含むことを特徴とする信号報告の方法。
【請求項３３】
前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）であることを特徴とする請求項３２に記載の方法。
【請求項３４】
前記第１報告量は更に参照信号リソース識別子関連の情報を含むことを特徴とする請求項３３に記載の方法。
【請求項３５】
前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含むことを特徴とする請求項３４に記載の方法。
【請求項３６】
前記リソース設定情報は第１リソース設定情報のみを含み、前記第１リソース設定情報は、Ｌ１−ＲＳＲＰ、Ｌ１−ＳＩＮＲ又はＬ１−ＲＳＲＱのチャネル測定に用いられることを特徴とする請求項３２乃至３５のいずれか１項に記載の方法。
【請求項３７】
前記リソース設定情報は第１リソース設定情報及び第２リソース設定情報を含み、前記第１リソース設定情報により指示される信号は、チャネル測定を行って有用信号の情報を決定することに用いられ、前記第２リソース設定情報は、干渉及び雑音測定又は総エネルギー測定を行うリソース位置又は信号を設定することに用いられることを特徴とする請求項３２乃至３５のいずれか１項に記載の方法。
【請求項３８】
前記リソース設定情報は更に第３リソース設定情報を含み、前記第３リソース設定情報は、干渉及び雑音測定又は総エネルギー測定を行うリソース位置又は信号を設定することに用いられることを特徴とする請求項３７に記載の方法。
【請求項３９】
前記測定待ち信号は、チャネル状態情報参照信号（ＣＳＩ−ＲＳ）及び／又は同期信号ブロック（ＳＳＢ）における一部又は全部の信号であることを特徴とする請求項３２乃至３８のいずれか１項に記載の方法。
【請求項４０】
前記測定待ち信号がＣＳＩ−ＲＳ及びＳＳＢにおける信号を含む場合、前記ＣＳＩ−ＲＳと前記ＳＳＢにおける信号は１対１に対応し、疑似コロケーション（ＱＣＬ）関係を満たすことを特徴とする請求項３２乃至３９のいずれか１項に記載の方法。
【請求項４１】
前記信号がＣＳＩ−ＲＳ及びＳＳＢにおける信号を含む場合、前記ＣＳＩ−ＲＳと前記ＳＳＢはＱＣＬ関係を満たさないことを特徴とする請求項３２乃至３９のいずれか１項に記載の方法。
【請求項４２】
前記方法は更に、
ビームグループに基づく信号報告をサポートするかどうかを前記端末装置に設定するように、前記ネットワーク装置が前記端末装置に第１設定情報を送信することを含むことを特徴とする請求項３２乃至４１のいずれか１項に記載の方法。
【請求項４３】
前記方法は更に、
報告する信号の個数を設定するように、前記ネットワーク装置が前記端末装置に第２設定情報を送信することを含むことを特徴とする請求項３２乃至４２のいずれか１項に記載の方法。
【請求項４４】
前記方法は更に、
ブロードバンドレポート又はサブバンドレポートを行うように前記端末装置を設定するために、前記ネットワーク装置が前記端末装置に第３設定情報を送信することを含むことを特徴とする請求項３２乃至４３のいずれか１項に記載の方法。
【請求項４５】
端末装置であって、
リソース設定情報に基づいて、信号測定に用いる測定待ち信号を決定することに用いられる決定モジュールと、
前記測定待ち信号の第１報告量に対して測定を行って、前記測定待ち信号の前記第１報告量の測定結果を取得することに用いられ、前記第１報告量はレイヤ１‐参照信号受信電力（Ｌ１−ＲＳＲＰ）以外の他の報告量を含む測定モジュールと、を備え、
前記決定モジュールは更に、前記測定待ち信号の前記第１報告量の測定結果に基づいて、前記測定待ち信号の中から報告する必要がある信号を決定することに用いられることを特徴とする端末装置。
【請求項４６】
前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）であることを特徴とする請求項４５に記載の端末装置。
【請求項４７】
前記第１報告量は更に参照信号リソース識別子関連の情報を含むことを特徴とする請求項４６に記載の端末装置。
【請求項４８】
前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含むことを特徴とする請求項４７に記載の端末装置。
【請求項４９】
前記測定モジュールは具体的に、
前記測定待ち信号に対して測定を行って、有用信号の情報を取得することと、
対応する干渉及び雑音の情報又は総エネルギーを取得することと、に用いられ、
前記決定モジュールは更に、前記有用信号の情報、及び前記干渉及び雑音の情報又は前記総エネルギーに基づいて、前記測定待ち信号のＬ１−ＳＩＮＲ又はＬ１−ＲＳＲＱの測定結果を決定することに用いられることを特徴とする請求項４５乃至４８のいずれか１項に記載の端末装置。
【請求項５０】
前記リソース設定情報は第１リソース設定情報のみを含み、前記第１リソース設定情報はＮ個の第１信号を指示することに用いられ、前記測定待ち信号は前記Ｎ個の第１信号を含み、前記Ｎは正の整数であり、前記測定モジュールは更に、
前記第１リソース設定情報により指示される第１信号を測定して、前記第１信号に対応する有用信号の情報を取得することに用いられることを特徴とする請求項４９に記載の端末装置。
【請求項５１】
前記測定モジュールは更に、
前記第１報告量がＬ１−ＳＩＮＲを含む場合、前記第１信号を搬送するリソースエレメント（ＲＥ）において、前記第１信号に対応する干渉及び雑音の情報を取得し、又は、
前記第１報告量がＬ１−ＲＳＲＱを含む場合、前記第１信号を搬送する一部又は全部のシンボルに基づいて、前記第１信号に対応する総エネルギーを取得することに用いられることを特徴とする請求項５０に記載の端末装置。
【請求項５２】
前記決定モジュールは具体的に、
前記第１信号に対応する有用信号の情報、及び前記第１信号に対応する前記干渉及び雑音の情報に基づいて、前記第１信号に対応するＬ１−ＳＩＮＲの測定結果を決定し、又は、
前記第１信号に対応する有用信号の情報、及び前記第１信号に対応する前記総エネルギーに基づいて、前記第１信号に対応するＬ１−ＲＳＲＱの測定結果を決定することに用いられることを特徴とする請求項５１に記載の端末装置。
【請求項５３】
前記第１信号の送信ポートは１つであることを特徴とする請求項５０乃至５２のいずれか１項に記載の端末装置。
【請求項５４】
前記第１信号の送信ポートは複数であり、前記決定モジュールは具体的に、
複数ポートにおける各ポートに対応する有用信号の情報、及び前記各ポートに対応する干渉及び雑音の情報を決定することと、
前記各ポートに対応する有用信号の情報、及び前記各ポートに対応する干渉及び雑音又は総エネルギーの情報に基づいて、前記各ポートに対応するＬ１−ＳＩＮＲ又はＬ１−ＲＳＲＱの測定結果を決定することと、
前記各ポートに対応するＬ１−ＳＩＮＲ又はＬ１−ＲＳＲＱの測定結果の平均値、最大値、又は最小値を、前記第１信号に対応するＬ１−ＳＩＮＲ又はＬ１−ＲＳＲＱの測定結果として決定することと、に用いられることを特徴とする請求項５０乃至５２のいずれか１項に記載の端末装置。
【請求項５５】
前記第１信号の送信ポートは複数であり、前記決定モジュールは具体的に、
複数ポートにおける各ポートに対応する有用信号の情報を決定し、前記複数ポートにおける各ポートに対応する有用信号の情報における平均値、最大値、又は最小値を、前記第１信号に対応する有用信号の情報として決定することと、
前記各ポートに対応する干渉及び雑音又は総エネルギーの情報を決定し、前記複数ポートにおける前記各ポートに対応する干渉及び雑音の情報又は総エネルギーにおける平均値、最大値、又は最小値を、前記第１信号に対応する干渉及び雑音の情報又は総エネルギーとして決定することと、
前記第１信号に対応する有用信号の情報、及び前記第１信号に対応する干渉及び雑音の情報又は総エネルギーに基づいて、前記第１信号に対応するＬ１−ＳＩＮＲ又はＬ１−ＲＳＲＱの測定結果を決定することと、に用いられることを特徴とする請求項５０乃至５２のいずれか１項に記載の端末装置。
【請求項５６】
前記第１信号に対応する有用信号の情報を取得することに用いられる帯域幅と、前記第１信号に対応する干渉及び雑音の情報を取得することに用いられるＲＥ及び帯域幅とは同じであることを特徴とする請求項５０乃至５５のいずれか１項に記載の端末装置。
【請求項５７】
前記第１信号に対応する総エネルギーは、サービングセル、同周波数セルの信号及び雑音のエネルギーを含むことを特徴とする請求項５０乃至５５のいずれか１項に記載の端末装置。
【請求項５８】
前記端末装置に１つのリソース設定情報のみが設定される場合、前記１つのリソース設定情報はＬ１−ＲＳＲＰ、Ｌ１−ＳＩＮＲ又はＬ１−ＲＳＲＱのチャネル測定に用いられることを特徴とする請求項５乃至１３のいずれか１項に記載の端末装置。
【請求項５９】
前記リソース設定情報は第１リソース設定情報及び第２リソース設定情報を含み、前記第１リソース設定情報はＮ個の第１信号を指示することに用いられ、前記測定待ち信号は前記Ｎ個の第１信号を含み、前記Ｎは正の整数であり、前記第２リソース設定情報は、干渉及び雑音測定又は総エネルギー測定を行うリソース位置又は第２信号を設定することに用いられることを特徴とする請求項４５乃至４８のいずれか１項に記載の端末装置。
【請求項６０】
前記測定モジュールは更に、
前記第１リソース設定情報により指示される第１信号を測定して、前記第１信号に対応する有用信号の情報を取得することに用いられることを特徴とする請求項５９に記載の端末装置。
【請求項６１】
前記測定モジュールは更に、
前記第１報告量がＬ１−ＳＩＮＲを含む場合、前記第２リソース設定情報により指示されるリソース位置又は第２信号に基づいて、対応する干渉及び雑音の情報を取得し、又は、
前記第１報告量がＬ１−ＲＳＲＱを含む場合、前記第２リソース設定情報により指示されるリソース位置又は第２信号に基づいて、対応する総エネルギーを取得することに用いられることを特徴とする請求項６０に記載の端末装置。
【請求項６２】
前記第１信号に対応する有用信号を取得することに用いられる帯域幅と、前記干渉及び雑音の情報を取得することに用いられるＲＥ及び帯域幅とは同じであることを特徴とする請求項６１に記載の端末装置。
【請求項６３】
前記総エネルギーは、サービングセル、同周波数セルの信号及び雑音のエネルギーを含むことを特徴とする請求項６１又は６２に記載の端末装置。
【請求項６４】
前記決定モジュールは更に、
前記第１信号に対応する有用信号の情報、及び前記干渉及び雑音の情報に基づいて、前記第１信号に対応するＬ１−ＳＩＮＲの測定結果を決定し、又は、
前記第１信号に対応する有用信号の情報、及び前記総エネルギーに基づいて、前記第１信号に対応するＬ１−ＲＳＲＱの測定結果を決定することに用いられることを特徴とする請求項６１乃至６３のいずれか１項に記載の端末装置。
【請求項６５】
前記干渉及び雑音測定のためのリソース位置は、干渉及び雑音測定のためのシンボル位置及び／又はサブキャリア位置を含むことを特徴とする請求項５９乃至６１のいずれか１項に記載の端末装置。
【請求項６６】
前記リソース設定情報は更に第３リソース設定情報を含み、前記第３リソース設定情報は、干渉及び雑音測定を行うリソース位置又は第３信号を設定することに用いられることを特徴とする請求項５９乃至６５のいずれか１項に記載の端末装置。
【請求項６７】
前記第１信号と前記第２信号の送信ポートは１つであることを特徴とする請求項５９乃至６６のいずれか１項に記載の端末装置。
【請求項６８】
前記第１信号の送信ポートは複数の第１送信ポートであり、前記第２信号の送信ポートは少なくとも１つの第２送信ポートであり、前記決定モジュールは具体的に、
複数の第１送信ポートにおける各第１送信ポートに対応する有用信号の情報、及び各第２送信ポートに対応する干渉及び雑音の情報又は総エネルギーを決定することと、
前記各第１送信ポートの有用信号の情報、及び対応する第２送信ポートの干渉及び雑音の情報又は総エネルギーに基づいて、前記各第１送信ポートのＬ１−ＳＩＮＲ又はＬ１−ＲＳＲＱの測定結果を決定することと、
前記各第１送信ポートに対応するＬ１−ＳＩＮＲ又はＬ１−ＲＳＲＱの測定結果の平均値、最大値、又は最小値を、前記第１信号に対応するＬ１−ＳＩＮＲ又はＬ１−ＲＳＲＱの測定結果として決定することと、に用いられることを特徴とする請求項５９乃至６６のいずれか１項に記載の端末装置。
【請求項６９】
前記第１信号の送信ポートは複数の第１送信ポートであり、前記第２信号の送信ポートは少なくとも１つの第２送信ポートであり、前記決定モジュールは具体的に、
複数の第１送信ポートにおける各第１送信ポートの有用信号の情報を決定し、前記複数の第１送信ポートにおける各第１送信ポートの有用信号の情報における平均値、最大値、又は最小値を、前記第１信号に対応する有用信号の情報として決定することと、
前記各第２送信ポートの干渉及び雑音の情報又は総エネルギーを決定し、前記少なくとも１つの第２送信ポートにおける前記各第２送信ポートの干渉及び雑音の情報又は総エネルギーにおける平均値、最大値、又は最小値を、対応する干渉及び雑音の情報又は総エネルギーとして決定することと、
前記第１信号に対応する有用信号の情報、及び対応する干渉及び雑音の情報又は総エネルギーに基づいて、前記第１信号に対応するＬ１−ＳＩＮＲ又はＬ１−ＲＳＲＱの測定結果を決定することと、に用いられることを特徴とする請求項５９乃至６８のいずれか１項に記載の端末装置。
【請求項７０】
前記測定待ち信号がＣＳＩ−ＲＳ及びＳＳＢにおける信号を含む場合、前記ＣＳＩ−ＲＳと前記ＳＳＢにおける信号は１対１に対応し、疑似コロケーション（ＱＣＬ）関係を満たすことを特徴とする請求項４５乃至６９のいずれか１項に記載の端末装置。
【請求項７１】
前記測定待ち信号がＣＳＩ−ＲＳ及びＳＳＢにおける信号を含む場合、前記ＣＳＩ−ＲＳと前記ＳＳＢはＱＣＬ関係を満たさないことを特徴とする請求項４５乃至６９のいずれか１項に記載の端末装置。
【請求項７２】
前記端末装置は更に、
周期的に、非周期的に、物理アップリンク共有チャネル（ＰＵＳＣＨ）において半持続的にフィードバック、物理アップリンク制御チャネル（ＰＵＣＣＨ）において半持続的にフィードバック、という方式のうちの１つで、前記ネットワーク装置に報告する必要がある信号を報告することに用いられる通信モジュールを備えることを特徴とする請求項４５乃至７１のいずれか１項に記載の端末装置。
【請求項７３】
前記端末装置は更に、ビームグループに基づく信号報告をサポートするかどうかを前記端末装置に設定するように、ネットワーク装置からの第１設定情報を受信することに用いられる通信モジュールを備えることを特徴とする請求項４５乃至７２のいずれか１項に記載の端末装置。
【請求項７４】
前記端末装置は更に、報告する信号の個数を設定するように、ネットワーク装置からの第２設定情報を受信することに用いられる通信モジュールを備えることを特徴とする請求項４５乃至７３のいずれか１項に記載の端末装置。
【請求項７５】
前記端末装置は更に、ブロードバンドレポート又はサブバンドレポートを行うように前記端末装置を設定するために、ネットワーク装置からの第３設定情報を受信することに用いられる通信モジュールを備えることを特徴とする請求項４５乃至７４のいずれか１項に記載の端末装置。
【請求項７６】
ネットワーク装置であって、
端末装置にリソース設定情報を送信し、前記リソース設定情報は、前記端末装置が信号測定する測定待ち信号を決定して、前記測定待ち信号の第１報告量を測定し、前記測定待ち信号の第１報告量の測定結果を取得することに用いられ、前記第１報告量はレイヤ１‐参照信号受信電力（Ｌ１−ＲＳＲＰ）以外の他の報告量を含むことと、
前記端末装置から送信された報告結果を受信し、前記報告結果は、前記端末装置が前記測定待ち信号の前記第１報告量の測定結果に基づいて、前記測定待ち信号の中から決定した信号の情報を含むことと、に用いられる通信モジュールを備えることを特徴とするネットワーク装置。
【請求項７７】
前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）であることを特徴とする請求項７６に記載のネットワーク装置。
【請求項７８】
前記第１報告量は更に参照信号リソース識別子関連の情報を含むことを特徴とする請求項７７に記載のネットワーク装置。
【請求項７９】
前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含むことを特徴とする請求項７８に記載のネットワーク装置。
【請求項８０】
前記リソース設定情報は第１リソース設定情報のみを含み、前記第１リソース設定情報は、Ｌ１−ＲＳＲＰ、Ｌ１−ＳＩＮＲ又はＬ１−ＲＳＲＱのチャネル測定に用いられることを特徴とする請求項７６乃至７９のいずれか１項に記載のネットワーク装置。
【請求項８１】
前記リソース設定情報は第１リソース設定情報及び第２リソース設定情報を含み、前記第１リソース設定情報により指示される信号は、チャネル測定を行って有用信号の情報を決定することに用いられ、前記第２リソース設定情報は、干渉及び雑音測定又は総エネルギー測定を行うリソース位置又は信号を設定することに用いられることを特徴とする請求項７６乃至７９のいずれか１項に記載のネットワーク装置。
【請求項８２】
前記リソース設定情報は更に第３リソース設定情報を含み、前記第３リソース設定情報は、干渉及び雑音測定又は総エネルギー測定を行うリソース位置又は信号を設定することに用いられることを特徴とする請求項８１に記載のネットワーク装置。
【請求項８３】
前記測定待ち信号は、チャネル状態情報参照信号（ＣＳＩ−ＲＳ）及び／又は同期信号ブロック（ＳＳＢ）における一部又は全部の信号であることを特徴とする請求項７６乃至８２のいずれか１項に記載のネットワーク装置。
【請求項８４】
前記測定待ち信号がＣＳＩ−ＲＳ及びＳＳＢにおける信号を含む場合、前記ＣＳＩ−ＲＳと前記ＳＳＢにおける信号は１対１に対応し、疑似コロケーション（ＱＣＬ）関係を満たすことを特徴とする請求項７６乃至８３のいずれか１項に記載のネットワーク装置。
【請求項８５】
前記信号がＣＳＩ−ＲＳ及びＳＳＢにおける信号を含む場合、前記ＣＳＩ−ＲＳと前記ＳＳＢはＱＣＬ関係を満たさないことを特徴とする請求項７６乃至８３のいずれか１項に記載のネットワーク装置。
【請求項８６】
前記通信モジュールは更に、ビームグループに基づく信号報告をサポートするかどうかを前記端末装置に設定するように、前記端末装置に第１設定情報を送信することに用いられることを特徴とする請求項７６乃至８５のいずれか１項に記載のネットワーク装置。
【請求項８７】
前記通信モジュールは更に、報告する信号の個数を設定するように、前記端末装置に第２設定情報を送信することに用いられることを特徴とする請求項７６乃至８６のいずれか１項に記載のネットワーク装置。
【請求項８８】
前記通信モジュールは更に、ブロードバンドレポート又はサブバンドレポートを行うように前記端末装置を設定するために、前記端末装置に第３設定情報を送信することに用いられることを特徴とする請求項７６乃至８７のいずれか１項に記載のネットワーク装置。
【請求項８９】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項１乃至３１のいずれか１項に記載の方法を実行することに用いられることを特徴とする端末装置。
【請求項９０】
チップであって、メモリからコンピュータプログラムを呼び出して実行し、それによって、前記チップを搭載した装置に請求項１乃至３１のいずれか１項に記載の方法を実行させることに用いられるプロセッサを備えることを特徴とするチップ。
【請求項９１】
コンピュータ可読記憶媒体であって、コンピュータプログラムを記憶することに用いられ、前記コンピュータプログラムはコンピュータに請求項１乃至３１のいずれか１項に記載の方法を実行させることを特徴とするコンピュータ可読記憶媒体。
【請求項９２】
コンピュータプログラム製品であって、コンピュータプログラム命令を含み、該コンピュータプログラム命令はコンピュータに請求項１乃至３１のいずれか１項に記載の方法を実行させることを特徴とするコンピュータプログラム製品。
【請求項９３】
コンピュータに請求項１乃至３１のいずれか１項に記載の方法を実行させることを特徴とするコンピュータプログラム。
【請求項９４】
ネットワーク装置であって、プロセッサ及びメモリを備え、該メモリはコンピュータプログラムを記憶することに用いられ、前記プロセッサは前記メモリに記憶されるコンピュータプログラムを呼び出して実行し、請求項３２乃至４４のいずれか１項に記載の方法を実行することに用いられることを特徴とするネットワーク装置。
【請求項９５】
チップであって、メモリからコンピュータプログラムを呼び出して実行し、それによって、前記チップを搭載した装置に請求項３２乃至４４のいずれか１項に記載の方法を実行させることに用いられるプロセッサを備えることを特徴とするチップ。
【請求項９６】
コンピュータ可読記憶媒体であって、コンピュータプログラムを記憶することに用いられ、前記コンピュータプログラムはコンピュータに請求項３２乃至４４のいずれか１項に記載の方法を実行させることを特徴とするコンピュータ可読記憶媒体。
【請求項９７】
コンピュータプログラム製品であって、コンピュータプログラム命令を含み、該コンピュータプログラム命令はコンピュータに請求項３２乃至４４のいずれか１項に記載の方法を実行させることを特徴とするコンピュータプログラム製品。
【請求項９８】
コンピュータに請求項３２乃至４４のいずれか１項に記載の方法を実行させることを特徴とするコンピュータプログラム。
【請求項９９】
通信システムであって、
請求項４５乃至７５のいずれか１項に記載の端末装置と、
請求項７６乃至８８のいずれか１項に記載のネットワーク装置と、を備えることを特徴とする通信システム。
【発明の詳細な説明】
【技術分野】
【０００１】
本願実施例は通信分野に関し、具体的には、信号報告の方法、端末装置、及びネットワーク装置に関する。
【背景技術】
【０００２】
５Ｇのマルチビーム（ｍｕｌｔｉ−ｂｅａｍ）システムでは、端末装置は複数の信号のレイヤ１‐参照信号受信電力（（Ｌ１−ＲＳＲＰ、Ｌａｙｅｒ１−Ｒｅｆｅｒｅｎｃｅ  Ｓｉｇｎａｌ  Ｒｅｃｅｉｖｉｎｇ  Ｐｏｗｅｒ）に対して測定を行い、測定結果に基づいてどのビームの伝送品質が比較的に良いかを決定することができ、又は、これらの信号を伝送するビームの伝送品質が比較的によく、そうすると、端末装置はこれらの信号の情報、例えば、ビームの情報又は測定結果等をネットワーク装置に報告することができる。
【０００３】
しかし、Ｌ１−ＲＳＲＰに基づいて測定を行う方式は単一すぎて、そして一部の場合では、決定された信号の品質は必ずしも最良ではなく、このような場合、どのように信号を測定して報告する信号を決定するかは早急に解決すべき課題である。
【発明の概要】
【発明が解決しようとする課題】
【０００４】
本願実施例は信号報告の方法、端末装置、及びネットワーク装置を提供し、Ｌ１−ＲＳＲＰ以外の報告量に対する測定を実現でき、それによって、報告する信号を決定する。
【課題を解決するための手段】
【０００５】
第１態様では、信号報告の方法を提供し、端末装置がリソース設定情報に基づいて、信号測定に用いる測定待ち信号を決定することと、前記端末装置が前記測定待ち信号の第１報告量に対して測定を行って、前記測定待ち信号の前記第１報告量の測定結果を取得し、前記第１報告量はレイヤ１‐参照信号受信電力（Ｌ１−ＲＳＲＰ）以外の他の報告量を含むことと、前記端末装置が前記測定待ち信号の前記第１報告量の測定結果に基づいて、前記測定待ち信号の中から報告する必要がある信号を決定することと、を含む。
【０００６】
第２態様では、信号報告の方法を提供し、ネットワーク装置が端末装置にリソース設定情報を送信し、前記リソース設定情報は、前記端末装置が信号測定する測定待ち信号を決定して、前記測定待ち信号の第１報告量を測定し、前記測定待ち信号の第１報告量の測定結果を取得することに用いられ、前記第１報告量はレイヤ１‐参照信号受信電力（Ｌ１−ＲＳＲＰ）以外の他の報告量を含むことと、前記ネットワーク装置が前記端末装置から送信された報告結果を受信し、前記報告結果は、前記端末装置が前記測定待ち信号の前記第１報告量の測定結果に基づいて、前記測定待ち信号の中から決定した信号の情報を含むことと、を含む。
【０００７】
第３態様では端末装置を提供し、上記第１態様又は第１態様のいずれかの可能な実現方式における方法を実行することに用いられる。具体的に、該端末装置は、上記第１態様又は第１態様のいずれか１つの可能な実現方式における方法を実行するためのユニットを備える。
【０００８】
第４態様ではネットワーク装置を提供し、上記第２態様又は第２態様のいずれかの可能な実現方式における方法を実行することに用いられる。具体的に、該端末装置は、上記第２態様又は第２態様のいずれか１つの可能な実現方式における方法を実行するためのユニットを備える。
【０００９】
第５態様では端末装置を提供し、該端末装置は、プロセッサ及びメモリを備える。該メモリはコンピュータプログラムを記憶することに用いられ、該プロセッサは該メモリに記憶されるコンピュータプログラムを呼び出して実行し、上記第１態様又はその各実現方式における方法を実行することに用いられる。
【００１０】
第６態様ではネットワーク装置を提供し、該端末は、プロセッサ及びメモリを備える。該メモリはコンピュータプログラムを記憶することに用いられ、該プロセッサは該メモリに記憶されるコンピュータプログラムを呼び出して実行し、上記第２態様又はその各実現方式における方法を実行することに用いられる。
【００１１】
第７態様ではチップを提供し、上記第１態様又は第２態様又はその各実現方式における方法を実現することに用いられる。
【００１２】
具体的に、該チップは、メモリからコンピュータプログラムを呼び出して実行し、これにより、該チップを搭載した装置に上記第１態様又は第２態様又はその各実現方式における方法を実行させることに用いられるプロセッサを備える。
【００１３】
第８態様ではコンピュータ可読記憶媒体を提供し、コンピュータプログラムを記憶することに用いられ、該コンピュータプログラムは、コンピュータに上記第１態様又は第２態様又はその各実現方式における方法を実行させる。
【００１４】
第９態様ではコンピュータプログラム製品を提供し、コンピュータプログラム命令を含み、該コンピュータプログラム命令は、コンピュータに上記第１態様又は第２態様又はその各実現方式における方法を実行させる。
【００１５】
第１０態様ではコンピュータプログラムを提供し、それがコンピュータにおいて実行される時、コンピュータは、上記第１態様又は第２態様又はその各実現方式における方法を実行する。
【発明の効果】
【００１６】
上記の技術案によれば、ネットワーク装置は第１報告量を端末装置に設定してもよく、該第１報告量はＬ１−ＲＳＲＰ以外の他の報告量であり、そうすると、該端末装置は測定待ち信号の該第１報告量に対して測定を行い、第１報告量の測定結果に基づいて信号の選択を行うことができ、信号測定の柔軟性向上に利する。そしてＬ１−ＲＳＲＰ以外の他の報告量の測定結果に基づいて信号の選択を行えば、一部のシーンでは、より品質の良い且つより信頼性の高い信号を選択するのに利し、それによって、システム性能を高めることができる。
【図面の簡単な説明】
【００１７】
【図１】図１は本願実施例による通信システムアーキテクチャの模式的な図である。
【図２】図２は本願実施例による信号報告の方法の模式的なフローチャートである。
【図３】図３は本願の他の実施例による信号報告の方法の模式的な図である。
【図４】図４は本願実施例による端末装置の模式的なブロック図である。
【図５】図５は本願実施例によるネットワーク装置の模式的なブロック図である。
【図６】図６は本願実施例による通信装置の模式的なブロック図である。
【図７】図７は本願実施例によるチップの模式的なブロック図である。
【図８】図８は本願実施例による通信システムの模式的なブロック図である。
【発明を実施するための形態】
【００１８】
以下は、本願実施例の図面を参照しながら、本願実施例における技術案を説明する。明らかに、説明される実施例は本願の一部実施例であり、全部の実施例ではない。本願における実施例に基づいて、当業者が創造的な労力を要することなく獲得する全ての他の実施例は、いずれも本願の保護範囲に属する。
【００１９】
本願実施例の技術案は、各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、又は５Ｇシステム等に適用できる。
【００２０】
例として、本願実施例に適用される通信システム１００は図１に示す通りである。該通信システム１００はネットワーク装置１１０を備えてもよく、ネットワーク装置１１０は端末装置１２０（又は通信端末、端末と称される）と通信する装置であってもよい。ネットワーク装置１１０は特定の地理的区域に通信カバレッジを提供でき、そして該カバレッジ区域内に位置する端末装置と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであり、又は、該ネットワーク装置は、モバイルスイッチングセンター、中継局、アクセスポイント、車載装置、ウェアラブルデバイス、ハブ、交換機、ブリッジ、ルーター、５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２１】
該通信システム１００は更にネットワーク装置１１０のカバレッジ範囲内に位置する少なくとも１つの端末装置１２０を備える。ここで使用される「端末装置」は、有線回線を介して接続され、例えば、公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブル接続、及び／又は他のデータ接続／ネットワークを介して接続された装置、及び／又は無線インタフェース、例えば、セルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）、ＤＶＢ−Ｈ  ネットワーク等のデジタルテレビネットワーク、衛星ネットワーク、ＡＭ−ＦＭ放送送信機を介して接続された装置、及び／又は他の端末装置の、通信信号を受信／送信するように設定された装置、及び／又はモノのインターネット（ＩｏＴ、Ｉｎｔｅｒｎｅｔ  ｏｆ  Ｔｈｉｎｇｓ）装置を含むが、それらには限らない。無線インタフェースを介して通信するように設定された端末装置は、「無線通信端末」、「無線端末」又は「モバイル端末」と称されてもよい。モバイル端末の例は、衛星又はセルラー方式の電話、セルラー無線電話とデータ処理、ファックス、及びデータ通信能力を組み合わせることのできる個人通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えることのできるＰＤＡ、及び通常のラップトップタイプ及び／又はパームトップタイプの受信機、又は無線電話送受信機を備える他の電子装置を含むが、それらには限らない。端末装置とは、アクセス端末、ユーザ装置（ＵＥ、Ｕｓｅｒ  Ｅｑｕｉｐｍｅｎｔ）、加入者ユニット、加入者局、移動局、トラバーサー、遠隔局、遠隔端末、モバイルデバイス、ユーザ端末、端末、無線通信装置、ユーザエージェント、又はユーザデバイスを指してもよい。アクセス端末は、セルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えたハンドヘルド装置、計算装置又は無線モデムに接続された他の処理装置、車載装置、ウェアラブル装置、５Ｇネットワークにおける端末装置又は将来進化するＰＬＭＮにおける端末装置等であってもよい。
【００２２】
選択肢として、端末装置１２０同士の間では端末ダイレクト（Ｄ２Ｄ、Ｄｅｖｉｃｅ  ｔｏ  Ｄｅｖｉｃｅ）通信を行うことができる。
【００２３】
選択肢として、５Ｇシステム又は５Ｇネットワークは更に新無線（ＮＲ、Ｎｅｗ  Ｒａｄｉｏ）システム又はＮＲネットワークと称されてもよい。
【００２４】
図１は１つのネットワーク装置と２つの端末装置を例示的に示しているが、選択肢として、該通信システム１００は複数のネットワーク装置を備えてもよく、そして各ネットワーク装置のカバレッジ範囲内に他の数の端末装置が含まれてもよく、本願実施例はこれについて限定しない。
【００２５】
選択肢として、該通信システム１００は更に、ネットワークコントローラ、移動管理エンティティ等の他のネットワークエンティティを備えてもよく、本願実施例はこれについて限定しない。
【００２６】
理解されるように、本願実施例におけるネットワーク／システムにおける通信機能を備えた装置は通信装置と称されてもよい。図１に示す通信システム１００を例とすると、通信装置は通信機能を有するネットワーク装置１１０及び端末装置１２０を含んでもよく、ネットワーク装置１１０及び端末装置１２０は上記に記載の具体的な装置であってもよく、ここでは繰り返して説明しない。通信装置は更に通信システム１００における他の装置、例えば、ネットワークコントローラ、移動管理エンティティ等の他のネットワークエンティティを含んでもよく、本願実施例はこれについて限定しない。
【００２７】
理解されるように、本明細書における用語「システム」と「ネットワーク」は、本明細書においてしばしば互いに交換可能に使用される。本明細書における用語「及び／又は」は単に関連するオブジェクトの関連関係を説明するためのものであり、３つの関係が存在し得ることを表す。例えば、「Ａ及び／又はＢ」は「Ａが単独に存在する」、「ＡとＢが同時に存在する」、「Ｂが単独に存在する」の３つの状況を表すことができる。また、本明細書における「／」という文字は、一般的に前後の関連オブジェクトが「又は」の関係であることを表す。
【００２８】
以下は図２〜図３を参照しながら、本願実施例による信号報告の方法を説明する。理解されるように、図２〜図３には本願実施例の信号報告の方法の主なステップ又は動作が示されるが、これらのステップ又は動作は例に過ぎず、本願実施例では更に他の動作、又は図２〜図３の各種動作の変形を実行してもよい。尚、本願方法実施例における各ステップは方法実施例において説明される異なる順序で実行されてもよく、そして必ずしも方法実施例における全ての動作を実行しなくてもよい場合がある。
【００２９】
図２は本願実施例による信号報告の方法の模式的なフローチャートである。図２に示すように、該方法２００は、以下のＳ２１０〜Ｓ２３０のステップを含む。
【００３０】
Ｓ２１０、端末装置はリソース設定情報に基づいて、信号測定に用いる測定待ち信号を決定する。
【００３１】
Ｓ２２０、前記端末装置は前記測定待ち信号の第１報告量に対して測定を行って、前記測定待ち信号の前記第１報告量の測定結果を取得し、前記第１報告量はレイヤ１‐参照信号受信電力（Ｌ１−ＲＳＲＰ）以外の他の報告量を含む。
【００３２】
Ｓ２３０、前記端末装置は前記測定待ち信号の前記第１報告量の測定結果に基づいて、前記測定待ち信号の中から報告する必要がある信号を決定する。
【００３３】
選択肢として、本願実施例では、該測定待ち信号は、チャネル状態情報参照信号（ＣＳＩ−ＲＳ、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含んでもよく、又は同期信号ブロック（ＳＳＢ、Ｓｙｎｃｈｒｏｎｉｚａｔｉｏｎ  Ｓｉｇｎａｌ  Ｂｌｏｃｋ）における全部又は部分の信号を含んでもよく、例えば、セカンダリ同期信号（ＳＳＳ、Ｓｅｃｏｎｄａｒｙ  Ｓｙｎｃｈｒｏｎｉｚａｔｉｏｎ  Ｓｉｇｎａｌ）のみを含んでもよく、又はＳＳＳ及び物理層ブロードキャストチャネル（ＰＢＣＨ、Ｐｈｙｓｉｃａｌ  Ｂｒｏａｄｃａｓｔ  Ｃｈａｎｎｅｌ）を含んでもよく、又はＳＳＳ及び復調参照信号（ＤＭＲＳ、Ｄｅｍｏｄｕｌａｔｉｏｎ  Ｒｅｆｅｒｅｎｃｅ  Ｓｉｇｎａｌ）等を含んでもよく、又は他のダウンリンク参照信号を含んでもよく、本願実施例はこれについて具体的な限定をしない。
【００３４】
選択肢として、本願実施例では、該第１報告量はレイヤ１‐参照信号受信電力（Ｌ１−ＲＳＲＰ、Ｌａｙｅｒ１−Ｒｅｆｅｒｅｎｃｅ  Ｓｉｇｎａｌ  Ｒｅｃｅｉｖｉｎｇ  Ｐｏｗｅｒ）以外の他の報告量、例えば、レイヤ１‐信号対干渉雑音比（Ｌ１−ＳＩＮＲ、Ｌａｙｅｒ１−Ｓｉｇｎａｌ  ｔｏ  Ｉｎｔｅｒｆｅｒｅｎｃｅ  ｐｌｕｓ  Ｎｏｉｓｅ  Ｒａｔｉｏ）、又はレイヤ１‐参照信号受信品質（Ｌ１−ＲＳＲＱ、Ｌａｙｅｒ１−Ｒｅｆｅｒｅｎｃｅ  Ｓｉｇｎａｌ  Ｒｅｃｅｉｖｉｎｇ  Ｑｕａｌｉｔｙ）を含んでもよく、又は信号品質を表すための他の情報、例えばレイヤ１受信の信号強度指示（Ｌ１−ＲＳＳＩ、Ｌａｙｅｒ１−Ｒｅｃｅｉｖｅｄ  Ｓｉｇｎａｌ  Ｓｔｒｅｎｇｔｈ  Ｉｎｄｉｃａｔｉｏｎ）等を含んでもよく、本願実施例はこれらには限らない。
【００３５】
具体的に、ネットワーク装置は端末装置に物理層の報告設定（ｒｅｐｏｒｔｉｎｇ  ｓｅｔｔｉｎｇ）を設定してもよく、該報告設定において報告量が該第１報告量であることを指示し、該報告設定は少なくとも１つのリソース設定情報（ｒｅｓｏｕｒｃｅ  ｓｅｔｔｉｎｇ）に関連付けられ、該少なくとも１つのリソース設定情報は信号測定する測定待ち信号を設定することに用いられ、これにより、端末装置は該少なくとも１つのリソース設定情報により指示される測定待ち信号の第１報告量に対して測定を行って、該測定待ち信号の第１報告量の測定結果を取得することができ、そして該測定待ち信号の該第１報告量の測定結果に基づいて、該測定待ち信号における報告する必要がある信号、例えば信号品質の最も良いＫ個の信号を決定することができ、Ｋは正の整数である。
【００３６】
従って、本願実施例の信号報告の方法では、端末装置はＬ１−ＲＳＲＰ以外の他の報告量に対して測定を行って、他の報告量の測定結果に基づいて信号の選択を行うことができ、信号測定の柔軟性が実現され、システム性能が高められる。
【００３７】
幾つかのシーンでは、測定待ち信号のＬ１−ＲＳＲＰの測定結果に大きな差がなく、又は言い換えれば、該Ｌ１−ＲＳＲＰの測定結果に基づいて判断したところ、該測定待ち信号の信号品質が近く、この場合、Ｌ１−ＲＳＲＰの測定結果に基づいて信号の選択を行うと、誤差が比較的に大きい可能性があり、従って、Ｌ１−ＲＳＲＰ以外の他の報告量、例えば、Ｌ１−ＳＩＮＲ又はＬ１−ＲＳＲＱの測定結果に基づいて信号の選択を行えば、より品質の良い且つより信頼性の高い信号を選択するのに利し、それによって、システム性能を高めることができる。
【００３８】
選択肢として、１つの実施例として、該第１報告量がＬ１−ＳＩＮＲ又はＬ１−ＲＳＲＱを含む場合、該Ｓ２２０は、
前記端末装置が前記測定待ち信号に対して測定を行って、有用信号の情報を取得することと、
前記端末装置が対応する干渉及び雑音の情報又は総エネルギーを取得することと、
前記端末装置が前記有用信号の情報、及び干渉及び雑音の情報、又は総エネルギーに基づいて、前記測定待ち信号のＬ１−ＳＩＮＲ又はＬ１−ＲＳＲＱの測定結果を決定することと、を含んでもよい。
【００３９】
理解されるように、該干渉及び雑音の情報は該測定待ち信号を測定して取得したものであってもよく、又は特定リソース位置又は特定信号を測定して取得したものであってもよく、それと類似して、該総エネルギーも測定待ち信号を測定して取得したものであってもよく、又は特定リソース位置又は特定信号を測定して取得したものであってもよく、本願実施例はこれについて限定しない。即ち、有用信号の情報を決定することに用いられる信号と、干渉及び雑音の情報又は総エネルギーを決定することに用いられる信号とは、同一の信号であってもよく、又は異なる信号であってもよい。ここの総エネルギーはサービングセル（ｓｅｒｖｉｎｇ  ｃｅｌｌ）及び同周波数セルの信号及び雑音等を含んでもよい。
【００４０】
更に、端末装置は有用信号の情報に基づいて、干渉及び雑音の情報を参照して、測定待ち信号のＬ１−ＳＩＮＲの測定結果を決定し、又は、有用信号の情報に基づいて、総エネルギーを参照して、測定待ち信号のＬ１−ＲＳＲＱの測定結果を決定してもよい。
【００４１】
理解されるように、該有用信号の情報は有用信号の強度、電力、又はエネルギー等であってもよく、幾つかの具体的な実施例では、該有用信号の情報はＬ１−ＲＳＲＰであると理解されてもよく、該Ｌ１−ＲＳＲＰは、あるシンボル内の、参照信号を搬送する全てのリソースエレメント（ＲＥ、Ｒｅｓｏｕｒｃｅ  Ｅｌｅｍｅｎｔ）において受信した信号電力の平均値であってもよい。該Ｌ１−ＳＩＮＲとは、受信した有用信号の強度と、受信した干渉信号（雑音と干渉を含む）の強度との比を指してもよい。Ｌ１−ＲＳＲＱは参照信号受信品質を表し、Ｎ＊Ｌ１−ＲＳＲＰ／Ｌ１−ＲＳＳＩと定義されてもよく、Ｎは該Ｌ１−ＲＳＳＩの測定帯域幅のリソースブロック（ＲＢ、Ｒｅｓｏｕｒｃｅ  Ｂｌｏｃｋ）の個数である。Ｌ１−ＲＳＳＩは１つの測定帯域幅内の１つのシンボルの全てのＲＥ上の総受信電力又は総エネルギーであり、即ち、該総エネルギーはＬ１−ＲＳＳＩであってもよい。
【００４２】
ここから分かるように、Ｌ１−ＳＩＮＲを測定するためには有用信号の情報と、干渉及び雑音の情報を測定する必要があり、Ｌ１−ＲＳＲＱを測定するためには有用信号の情報、及び総エネルギーを測定する必要がある。
【００４３】
以下は実施例１及び実施例２を参照しながら、Ｌ１−ＳＩＮＲ及びＬ１−ＲＳＲＱの測定方法を詳しく説明する。
【００４４】
実施例１：該第１報告量はＬ１−ＳＩＮＲ又はＬ１−ＲＳＲＱを含み、該リソース設定情報は第１リソース設定情報のみを含み、即ち、報告設定は１つのリソース設定情報のみに関連付けられ、該第１リソース設定情報はＮ個の第１信号を指示し、該実施例１では、該測定待ち信号は該Ｎ個の第１信号を含み、該端末装置は該Ｎ個の第１信号における各第１信号を測定して、各信号に対応する第１報告量の測定結果を決定してもよく、即ち、各第１信号は１つの測定結果に対応する。該Ｎ個の第１信号のうちの１つの第１信号を例にして、信号測定のプロセスを説明する。
【００４５】
まずＳ１１を実行し、前記端末装置は前記第１リソース設定情報により指示される第１信号を測定して、前記第１信号に対応する有用信号の情報を取得してもよい。
【００４６】
更に、該第１報告量がＬ１−ＳＩＮＲである場合、Ｓ１２を実行し、前記第１信号を搬送するリソースエレメント（ＲＥ）において、前記第１信号に対応する干渉及び雑音の情報を取得し、又は、
該第１報告量がＬ１−ＲＳＲＱである場合、Ｓ１２’を実行し、前記第１信号を搬送する一部又は全部のシンボルに基づいて、前記第１信号に対応する総エネルギーを取得する。
【００４７】
最後にＳ１３を実行し、該第１信号に対応する有用信号の情報、及び該第１信号に対応する干渉及び雑音の情報に基づいて、該第１信号に対応するＬ１−ＳＩＮＲの測定結果を決定し、例えば、有用信号の強度と干渉及び雑音の強度とを除算して該第１信号に対応するＬ１−ＳＩＮＲの測定結果を取得してもよい。
【００４８】
又は、該第１信号に対応する有用信号の情報、及び該第１信号に対応する総エネルギーに基づいて、該第１信号のＬ１−ＲＳＲＱの測定結果を決定し、例えば、式Ｎ＊Ｌ１−ＲＳＲＰ／Ｌ１−ＲＳＳＩに基づいて、該第１信号に対応するＬ１−ＳＩＮＲの測定結果を取得してもよい。
【００４９】
該Ｎ個の第１信号における各第１信号に対していずれもＳ１１〜Ｓ１３に記載のプロセスを実行すると、各第１信号に対応するＬ１−ＳＩＮＲ又はＬ１−ＲＳＲＱの測定結果を取得することができ、これにより、端末装置は該Ｎ個の第１信号に対応するＬ１−ＳＩＮＲ又はＬ１−ＲＳＲＱの測定結果に基づいて、信号品質の最も良いＫ個の信号を決定して報告することができ、例えば、該Ｋ個の信号のＬ１−ＳＩＮＲ又はＬ１−ＲＳＲＱの測定結果、及び該Ｋ個の信号の識別子情報をネットワーク装置に報告する。
【００５０】
理解されるように、ここでは、該Ｌ１−ＳＩＮＲの測定結果はＬ１−ＳＩＮＲの測定値それ自体であってもよく、又はＬ１−ＳＩＮＲの測定値の差値（例えば、特定の測定値に対する差値、又は測定値間の差値等）、又はＬ１−ＳＩＮＲの測定値の定量化された値等であってもよく、本願実施例は該Ｌ１−ＳＩＮＲの測定結果の報告形式については限定せず、該Ｌ１−ＲＳＲＱの測定結果についてもそうであり、ここでは繰り返して説明しない。
【００５１】
更に理解されるように、該Ｋ個の信号の識別子情報はＣＳＩ−ＲＳリソースのインデックス情報（ＣＳＩ−ＲＳ  ｒｅｓｏｕｒｃｅ  ｉｎｄｅｘ）及び／又はＳＳＢのインデックス情報（ＳＳＢ  ｉｎｄｅｘ）であってもよく、例えば、該Ｋ個の信号がＣＳＩ−ＲＳである場合、該Ｋ個の信号の識別子情報はＣＳＩ−ＲＳ  ｒｅｓｏｕｒｃｅ  ｉｎｄｅｘであってもよく、又は該Ｋ個の信号がＳＳＢ信号である場合、該Ｋ個の信号の識別子情報はＳＳＢ  ｉｎｄｅｘであってもよい。
【００５２】
本願実施例では、前記第１信号に対応する有用信号の情報を取得することに用いられる帯域幅と、前記第１信号に対応する干渉及び雑音の情報を取得することに用いられるＲＥ及び帯域幅とは、同じである。即ち、Ｓ１１とＳ１２を実行することに用いられる帯域幅及びＲＥは同じである。
【００５３】
選択肢として、幾つかの実施例では、該第１信号の送信ポートは１つであってもよく、この場合、Ｓ１１〜Ｓ１３を順次に実行するだけで、各第１信号に対応するＬ１−ＳＩＮＲ又はＬ１−ＲＳＲＱの測定結果を取得することができる。
【００５４】
選択肢として、他の幾つかの実施例では、該第１信号の送信ポートは複数であってもよく、この場合、該第１信号に対応するＬ１−ＳＩＮＲ又はＬ１−ＲＳＲＱの測定結果は具体的に以下の２つの方式で決定されてもよい。該第１信号に対応するＬ１−ＳＩＮＲの測定結果の決定を例にして説明し、該第１信号のＬ１−ＲＳＲＱの測定結果についてはそれと類似する方式で決定されてもよく、繰り返して説明しない。
【００５５】
方式１：各ポートにとって、上記のＳ１１〜Ｓ１３を順次に実行して各ポートのＬ１−ＳＩＮＲの測定結果を決定し、それから各ポートに対応するＬ１−ＳＩＮＲの測定結果に基づいて、前記第１信号に対応するＬ１−ＳＩＮＲの測定結果を決定する。
【００５６】
具体的なプロセスは以下である。まず各ポートに対応する有用信号の情報、及び前記各ポートに対応する干渉及び雑音の情報を決定し、それから、前記各ポートに対応する有用信号の情報、及び前記各ポートに対応する干渉及び雑音又は総エネルギーの情報に基づいて、前記各ポートに対応するＬ１−ＳＩＮＲの測定結果を決定する。
【００５７】
最後に、各ポートに対応するＬ１−ＳＩＮＲの測定結果に基づいて、該第１信号に対応するＬ１−ＳＩＮＲの測定結果を決定する。例えば、該各ポートに対応するＬ１−ＳＩＮＲの測定結果を線形重ね合わせして該第１信号に対応するＬ１−ＳＩＮＲの測定結果を取得してもよく、又は前記各ポートに対応するＬ１−ＳＩＮＲの測定結果の平均値、最大値、又は最小値を、前記第１信号に対応するＬ１−ＳＩＮＲの測定結果として決定してもよい。
【００５８】
即ち、各ポートにとって、Ｓ１１〜Ｓ１３を順次に実行して各ポートのＬ１−ＳＩＮＲの測定結果を決定し、それから各ポートに対応するＬ１−ＳＩＮＲの測定結果の平均値、最大値、又は最小値を、前記第１信号に対応するＬ１−ＳＩＮＲの測定結果として決定してもよい。
【００５９】
方式２：該複数ポートにおける各ポートに対応する有用信号の情報に基づいて、該第１信号に対応する有用信号の情報を決定し、そして前記各ポートに対応する干渉及び雑音の情報に基づいて、該第１信号に対応する干渉及び雑音の情報を決定し、それから、第１信号に対応する有用信号の情報及び第１信号に対応する干渉及び雑音の情報に基づいて、該第１信号に対応するＬ１−ＳＩＮＲの測定結果を決定する。
【００６０】
具体的に、Ｓ１１では、複数ポートにおける各ポートの有用信号の情報の平均値、最大値、又は最小値を、該第１信号に対応する有用信号の情報として決定してもよい。
【００６１】
Ｓ１２では、複数ポートにおける各ポートの干渉及び雑音の情報の平均値、最大値、又は最小値を、該第１信号に対応する干渉及び雑音の情報として決定してもよい。
【００６２】
更にＳ１３では、第１信号に対応する有用信号の情報、及び第１信号に対応する干渉及び雑音の情報に基づいて、該第１信号に対応するＬ１−ＳＩＮＲの測定結果を決定する。
【００６３】
実施例２：該第１報告量はＬ１−ＳＩＮＲ又はＬ１−ＲＳＲＱを含み、前記リソース設定情報は第１リソース設定情報及び第２リソース設定情報を含み、前記第１リソース設定情報はＮ個の第１信号を指示することに用いられ、前記測定待ち信号は前記Ｎ個の第１信号を含み、前記Ｎは正の整数であり、前記第２リソース設定情報は、干渉及び雑音測定又は総エネルギー測定を行うリソース位置又は第２信号を設定することに用いられる。該Ｎ個の第１信号のうちの１つの第１信号に対して測定を行うのを例にして、信号測定のプロセスを説明する。
【００６４】
該実施例２では、まずＳ２１を実行し、前記端末装置は前記第１リソース設定情報により指示される第１信号を測定して、対応する有用信号の情報を取得してもよく、具体的なプロセスは実施例１のＳ１１と類似し、ここでは繰り返して説明しない。
【００６５】
更に、該第１報告量がＬ１−ＳＩＮＲである場合、Ｓ２２を実行し、該第２リソース設定情報により指示されるリソース位置又は第２信号に基づいて、該第１信号に対応する干渉及び雑音の情報を取得し、又は、
該第１報告量がＬ１−ＲＳＲＱである場合、Ｓ２２’を実行し、該第２リソース設定情報により指示されるリソース位置又は第２信号に基づいて、対応する総エネルギーを取得する。
【００６６】
最後にＳ２３を実行し、該第１信号に対応する有用信号の情報、及び対応する干渉及び雑音の情報に基づいて、該第１信号に対応するＬ１−ＳＩＮＲの測定結果を決定し、例えば、有用信号の強度と該干渉及び雑音の強度とを除算して該第１信号に対応するＬ１−ＳＩＮＲの測定結果を取得してもよい。又は、該第１信号に対応する有用信号の情報、及び対応する総エネルギーに基づいて、該第１信号のＬ１−ＲＳＲＱの測定結果を決定し、例えば、式Ｎ＊Ｌ１−ＲＳＲＰ／Ｌ１−ＲＳＳＩに基づいて、該第１信号に対応するＬ１−ＳＩＮＲの測定結果を取得してもよい。
【００６７】
更に、該Ｎ個の第１信号における各第１信号に対していずれもＳ２１〜Ｓ２３に記載のプロセスを実行すれば、各第１信号に対応するＬ１−ＳＩＮＲ又はＬ１−ＲＳＲＱの測定結果を取得することができ、これにより、該Ｎ個の第１信号に対応するＬ１−ＳＩＮＲ又はＬ１−ＲＳＲＱの測定結果に基づいて、信号品質の最も良いＫ個の信号を決定して報告することができ、例えば、該Ｋ個の信号のＬ１−ＳＩＮＲ又はＬ１−ＲＳＲＱの測定結果、及び該Ｋ個の信号の識別子情報をネットワーク装置に報告する。
【００６８】
理解されるように、ここでは、該Ｌ１−ＳＩＮＲ又はＬ１−ＲＳＲＱの測定結果の報告形式、及び該Ｋ個の信号の識別子情報の意味については、実施例１における関連する説明を参照でき、簡潔のために、ここでは繰り返して説明しない。
【００６９】
選択肢として、幾つかの実施例では、該第２リソース設定情報により指示される干渉及び雑音測定のためのリソース位置はシンボル位置及び／又はサブキャリア位置を含み、即ち、該第２リソース設定情報は、干渉及び雑音測定に用いられ、又は総エネルギー測定に用いられる時間領域位置、周波数領域位置、及び信号等を設定することができる。
【００７０】
実施例１と類似して、前記第１信号に対応する有用信号の情報を取得することに用いられる帯域幅と、対応する干渉及び雑音の情報を取得することに用いられるＲＥ及び帯域幅とは、同じである。即ち、Ｓ２１とＳ２２を実行することに用いられる帯域幅及びＲＥは同じである。
【００７１】
選択肢として、幾つかの実施例では、該第１信号の送信ポートは１つであってもよく、この場合、Ｓ２１〜Ｓ２３を順次に実行するだけで、各第１信号に対応するＬ１−ＳＩＮＲ又はＬ１−ＲＳＲＱの測定結果を取得することができる。
【００７２】
選択肢として、他の幾つかの実施例では、該第１信号の送信ポートは複数であってもよく、干渉及び雑音又は総エネルギーの測定のための第２信号は１つのポートであってもよく、又は複数のポートであってもよく、該第１信号と第２信号のポートは１対１の対応関係であってもよく、又は多対１の対応関係であってもよく、本願実施例はこれについて限定しない。仮に該第１信号が複数の第１送信ポートを有し、該第２信号は少なくとも１つの第２送信ポートを有する。
【００７３】
実施例１と類似して、端末装置はまず各ポートのＬ１−ＳＩＮＲ又はＬ１−ＲＳＲＱの測定結果をそれぞれ個別に計算し、それから各ポートのＬ１−ＳＩＮＲ又はＬ１−ＲＳＲＱの測定結果に基づいて、該第１信号に対応するＬ１−ＳＩＮＲ又はＬ１−ＲＳＲＱの測定結果を決定してもよい。又はＳ２１及びＳ２２又はＳ２２’において、複数ポートの測定された信号の情報を直接に使用してもよく、該第１信号に対応するＬ１−ＳＩＮＲの測定結果を決定するのを例にして説明する。
【００７４】
方式１：各ポートのＬ１−ＳＩＮＲの測定結果を決定し、それから各ポートに対応するＬ１−ＳＩＮＲの測定結果に基づいて、前記第１信号に対応するＬ１−ＳＩＮＲの測定結果を決定する。
【００７５】
具体的なプロセスは以下である。各第１送信ポートの有用信号の情報、及び対応する第２送信ポートの干渉及び雑音の情報を決定し、それから、前記各第１送信ポートの有用信号の情報、及び対応する第２送信ポートの干渉及び雑音又は総エネルギーの情報に基づいて、前記各第１送信ポートのＬ１−ＳＩＮＲの測定結果を決定する。
【００７６】
それから、各第１送信ポートのＬ１−ＳＩＮＲの測定結果に基づいて、該第１信号に対応するＬ１−ＳＩＮＲの測定結果を決定する。例えば、各第１送信ポートのＬ１−ＳＩＮＲの測定結果を線形重ね合わせして該第１信号に対応するＬ１−ＳＩＮＲの測定結果を取得してもよく、又は前記各第１送信ポートのＬ１−ＳＩＮＲの測定結果の平均値、最大値、又は最小値を、前記第１信号に対応するＬ１−ＳＩＮＲの測定結果として決定してもよい。
【００７７】
方式２：該複数の第１送信ポートにおける各第１送信ポートの有用信号の情報に基づいて、該第１信号の有用信号の情報を決定し、そして前記各第２送信ポートの干渉及び雑音の情報に基づいて、該第１信号に対応する干渉及び雑音の情報を決定し、それから、第１信号の有用信号の情報及び対応する干渉及び雑音の情報に基づいて、該第１信号に対応するＬ１−ＳＩＮＲの測定結果を決定する。
【００７８】
具体的に、Ｓ２１では、複数の第１送信ポートにおける各第１送信ポートの有用信号の情報の平均値、最大値、又は最小値を、該第１信号の有用信号の情報として決定してもよい。
【００７９】
Ｓ２２では、少なくとも１つの第２送信ポートにおける各第２送信ポートの干渉及び雑音の情報の平均値、最大値、又は最小値を、対応する干渉及び雑音の情報として決定してもよい。
【００８０】
更に、Ｓ２３では、第１信号の有用信号の情報、及び対応する干渉及び雑音の情報に基づいて、該第１信号に対応するＬ１−ＳＩＮＲの測定結果を決定する。
【００８１】
選択肢として、幾つかの実施例では、該測定待ち信号は、ＣＳＩ−ＲＳのみ又はＳＳＢのみにおける信号を含んでもよく、又はＣＳＩ−ＲＳとＳＳＢの両方における信号を含んでもよく、この場合、前記ＣＳＩ−ＲＳと前記ＳＳＢにおける信号は１対１の対応関係であって、疑似コロケーション（ＱＣＬ、Ｑｕａｓｉ−ｃｏ−ｌｏｃａｔｅｄ）の関係を満たしてもよく、又は、前記ＣＳＩ−ＲＳと前記ＳＳＢはＱＣＬ関係を満たさなくてもよく、例えば、該ＣＳＩ−ＲＳとＳＳＢは異なるビーム（ｂｅａｍ）から来てもよく、それは、Ｌ１−ＲＳＲＰと比べて、Ｌ１−ＳＩＮＲの場合では、異なる参照信号のＬ１−ＳＩＮＲは直接に比較されて、信号品質の優劣が決定されることができるからである。
【００８２】
選択肢として、幾つかの実施例では、前記方法２００は更に、
前記端末装置が、
周期的に（ｐｅｒｉｏｄｉｃ）、非周期的に（ａｐｅｒｉｏｄｉｃ）、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）において半持続的にフィードバック（ｓｅｍｉＰｅｒｓｉｓｔｅｎｔＯｎＰＵＳＣＨ）、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）において半持続的にフィードバック（ｓｅｍｉＰｅｒｓｉｓｔｅｎｔＯｎＰＵＣＣＨ）、という方式のうちの１つで、前記ネットワーク装置に報告する必要がある信号を報告することを含む。
【００８３】
選択肢として、幾つかの実施例では、前記方法２００は更に、
ビームグループに基づく信号報告（即ち、ｇｒｏｕｐＢａｓｅｄＢｅａｍＲｅｐｏｒｔｉｎｇ）をサポートするかどうかを前記端末装置に設定するように、前記端末装置がネットワーク装置からの第１設定情報を受信することを含む。
【００８４】
選択肢として、幾つかの実施例では、前記方法２００は更に、
報告する信号の個数Ｋ（即ち、ｎｒｏｆＲｅｐｏｒｔｅｄＲＳ）を設定することように、前記端末装置がネットワーク装置からの第２設定情報を受信することを含む。
【００８５】
選択肢として、幾つかの実施例では、前記方法２００は更に、
ブロードバンドレポート又はサブバンドレポートを行うように前記端末装置を設定するために、前記端末装置がネットワーク装置からの第３設定情報を受信することを含む。
【００８６】
以上は図２を参照しながら、端末装置の角度から本願実施例による信号報告の方法を説明したが、以下は図３を参照しがら、ネットワーク装置の角度から本願の他の実施例による信号報告の方法を詳しく説明する。理解されるように、ネットワーク装置側の説明と端末装置側の説明とは互いに対応し、類似する説明は上記の説明を参照でき、重複を避けるために、ここでは詳細な説明は省略する。
【００８７】
図３は本願の他の実施例による信号報告の方法３００の模式的なフローチャートであり、該方法３００は図１に示す通信システムにおけるネットワーク装置によって実行されることができ、図３に示すように、該方法３００は、
ネットワーク装置が端末装置にリソース設定情報を送信し、前記リソース設定情報は、前記端末装置が信号測定する測定待ち信号を決定して、前記測定待ち信号の第１報告量を測定し、前記測定待ち信号の第１報告量の測定結果を取得することに用いられ、前記第１報告量はレイヤ１‐参照信号受信電力（Ｌ１−ＲＳＲＰ）以外の他の報告量を含むＳ３１０と、
前記ネットワーク装置が前記端末装置から送信された報告結果を受信し、前記報告結果は、前記端末装置が前記測定待ち信号の前記第１報告量の測定結果に基づいて、前記測定待ち信号の中から決定した信号の情報を含むことと、を含む。
【００８８】
選択肢として、幾つかの実施例では、前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）である。
【００８９】
選択肢として、幾つかの実施例では、前記第１報告量は更に参照信号リソース識別子関連の情報を含む。
【００９０】
選択肢として、幾つかの実施例では、前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含む。
【００９１】
選択肢として、幾つかの実施例では、前記リソース設定情報は第１リソース設定情報のみを含み、前記第１リソース設定情報はＬ１−ＲＳＲＰ、Ｌ１−ＳＩＮＲ又はＬ１−ＲＳＲＱのチャネル測定に用いられる。
【００９２】
選択肢として、幾つかの実施例では、前記リソース設定情報は第１リソース設定情報及び第２リソース設定情報を含み、前記第１リソース設定情報により指示される信号は、チャネル測定を行って有用信号の情報を決定することに用いられ、前記第２リソース設定情報は、干渉及び雑音測定又は総エネルギー測定を行うリソース位置又は信号を設定することに用いられる。
【００９３】
選択肢として、幾つかの実施例では、前記リソース設定情報は更に多くの、例えば３つ以上のリソース設定情報を含んでもよく、該リソース設定情報における第１リソース設定情報は有用信号の情報を測定することに用いられ、第１リソース設定情報以外の他のリソース設定情報は干渉及び雑音の測定、又は総エネルギーの測定等に用いられる。
【００９４】
例えば、該リソース設定情報が更に第３リソース設定情報を含む場合、前記第３リソース設定情報は干渉及び雑音測定又は総エネルギー測定を行うリソース位置又は信号を設定することに用いられ、そうすると、該端末装置は第２リソース設定情報及び第３リソース設定情報に基づいて、干渉及び雑音測定又は総エネルギー測定を行うことができる。
【００９５】
選択肢として、幾つかの実施例では、前記測定待ち信号は、チャネル状態情報参照信号（ＣＳＩ−ＲＳ）及び／又は同期信号ブロック（ＳＳＢ）における一部又は全部の信号である。
【００９６】
選択肢として、幾つかの実施例では、前記測定待ち信号がＣＳＩ−ＲＳ及びＳＳＢにおける信号を含む場合、前記ＣＳＩ−ＲＳと前記ＳＳＢにおける信号は１対１に対応し、疑似コロケーション（ＱＣＬ）関係を満たす。
【００９７】
選択肢として、幾つかの実施例では、前記信号がＣＳＩ−ＲＳ及びＳＳＢにおける信号を含む場合、前記ＣＳＩ−ＲＳと前記ＳＳＢはＱＣＬ関係を満たさない。
【００９８】
選択肢として、幾つかの実施例では、前記方法３００は更に、ビームグループに基づく信号報告をサポートするかどうかを前記端末装置に設定するように、前記ネットワーク装置が前記端末装置に第１設定情報を送信することを含む。
【００９９】
選択肢として、幾つかの実施例では、前記方法３００は更に、
報告する信号の個数を設定するように、前記ネットワーク装置が前記端末装置に第２設定情報を送信することを含む。
【０１００】
選択肢として、幾つかの実施例では、前記方法３００は更に、ブロードバンドレポート又はサブバンドレポートを行うように前記端末装置を設定するために、前記ネットワーク装置が前記端末装置に第３設定情報を送信することを含む。
【０１０１】
以上は図２〜図３を参照しながら、本願の方法実施例を詳しく説明したが、以下は図４〜図８を参照しながら、本願の装置実施例を詳しく説明する。理解されるように、装置実施例は方法実施例と相互に対応し、類似する説明は方法実施例を参照できる。
【０１０２】
図４は本願実施例の端末装置４００の模式的なブロック図を示す。図４に示すように、該端末装置４００は、
リソース設定情報に基づいて、信号測定に用いる測定待ち信号を決定することに用いられる決定モジュール４１０と、
前記測定待ち信号の第１報告量に対して測定を行って、前記測定待ち信号の前記第１報告量の測定結果を取得することに用いられ、前記第１報告量はレイヤ１‐参照信号受信電力（Ｌ１−ＲＳＲＰ）以外の他の報告量を含む測定モジュール４２０と、を備え、
前記決定モジュール４１０は更に、前記測定待ち信号の前記第１報告量の測定結果に基づいて、前記測定待ち信号の中から報告する必要がある信号を決定することに用いられる。
【０１０３】
選択肢として、幾つかの実施例では、前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）である。
【０１０４】
選択肢として、幾つかの実施例では、前記第１報告量は更に参照信号リソース識別子関連の情報を含む。
【０１０５】
選択肢として、幾つかの実施例では、前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含む。
【０１０６】
選択肢として、幾つかの実施例では、前記測定モジュール４２０は具体的に、前記測定待ち信号に対して測定を行って、有用信号の情報を取得することと、対応する干渉及び雑音の情報又は総エネルギーを取得することと、に用いられる。
【０１０７】
前記決定モジュール４１０は更に、前記有用信号の情報、及び前記干渉及び雑音の情報又は前記総エネルギーに基づいて、前記測定待ち信号のＬ１−ＳＩＮＲ又はＬ１−ＲＳＲＱの測定結果を決定することに用いられる。
【０１０８】
選択肢として、幾つかの実施例では、前記リソース設定情報は第１リソース設定情報のみを含み、前記第１リソース設定情報はＮ個の第１信号を指示することに用いられ、前記測定待ち信号は前記Ｎ個の第１信号を含み、前記Ｎは正の整数であり、前記測定モジュール４２０は更に、前記第１リソース設定情報により指示される第１信号を測定して、前記第１信号に対応する有用信号の情報を取得することに用いられる。
【０１０９】
選択肢として、幾つかの実施例では、前記測定モジュール４２０は更に、
前記第１報告量がＬ１−ＳＩＮＲを含む場合、前記第１信号を搬送するリソースエレメント（ＲＥ）において、前記第１信号に対応する干渉及び雑音の情報を取得し、又は、前記第１報告量がＬ１−ＲＳＲＱを含む場合、前記第１信号を搬送する一部又は全部のシンボルに基づいて、前記第１信号に対応する総エネルギーを取得することに用いられる。
【０１１０】
選択肢として、幾つかの実施例では、前記決定モジュール４１０は具体的に、
前記第１信号に対応する有用信号の情報、及び前記第１信号に対応する前記干渉及び雑音の情報に基づいて、前記第１信号に対応するＬ１−ＳＩＮＲの測定結果を決定し、又は、
前記第１信号に対応する有用信号の情報、及び前記第１信号に対応する前記総エネルギーに基づいて、前記第１信号に対応するＬ１−ＲＳＲＱの測定結果を決定することに用いられる。
【０１１１】
選択肢として、幾つかの実施例では、前記第１信号の送信ポートは１つである。
【０１１２】
選択肢として、幾つかの実施例では、前記第１信号の送信ポートは複数であり、前記決定モジュール４１０は具体的に、複数ポートにおける各ポートに対応する有用信号の情報、及び前記各ポートに対応する干渉及び雑音の情報を決定することと、前記各ポートに対応する有用信号の情報、及び前記各ポートに対応する干渉及び雑音又は総エネルギーの情報に基づいて、前記各ポートに対応するＬ１−ＳＩＮＲ又はＬ１−ＲＳＲＱの測定結果を決定することと、
前記各ポートに対応するＬ１−ＳＩＮＲ又はＬ１−ＲＳＲＱの測定結果の平均値、最大値、又は最小値を、前記第１信号に対応するＬ１−ＳＩＮＲ又はＬ１−ＲＳＲＱの測定結果として決定することと、に用いられる。
【０１１３】
選択肢として、幾つかの実施例では、前記第１信号の送信ポートは複数であり、前記決定モジュール４１０は具体的に、複数ポートにおける各ポートに対応する有用信号の情報を決定し、前記複数ポートにおける各ポートに対応する有用信号の情報における平均値、最大値、又は最小値を、前記第１信号に対応する有用信号の情報として決定することと、前記各ポートに対応する干渉及び雑音又は総エネルギーの情報を決定し、前記複数ポートにおける前記各ポートに対応する干渉及び雑音の情報又は総エネルギーにおける平均値、最大値、又は最小値を、前記第１信号に対応する干渉及び雑音の情報又は総エネルギーとして決定することと、
前記第１信号に対応する有用信号の情報、及び前記第１信号に対応する干渉及び雑音の情報又は総エネルギーに基づいて、前記第１信号に対応するＬ１−ＳＩＮＲ又はＬ１−ＲＳＲＱの測定結果を決定することと、に用いられる。
【０１１４】
選択肢として、幾つかの実施例では、前記第１信号に対応する有用信号の情報を取得することに用いられる帯域幅と、前記第１信号に対応する干渉及び雑音の情報を取得することに用いられるＲＥ及び帯域幅とは同じである。
【０１１５】
選択肢として、幾つかの実施例では、前記第１信号に対応する総エネルギーは、サービングセル、同周波数セルの信号及び雑音のエネルギーを含む。
【０１１６】
選択肢として、幾つかの実施例では、前記端末装置に１つのリソース設定情報のみが設定される場合、前記１つのリソース設定情報はＬ１−ＲＳＲＰ、Ｌ１−ＳＩＮＲ又はＬ１−ＲＳＲＱのチャネル測定に用いられる。
【０１１７】
選択肢として、幾つかの実施例では、前記リソース設定情報は第１リソース設定情報及び第２リソース設定情報を含み、前記第１リソース設定情報はＮ個の第１信号を指示することに用いられ、前記測定待ち信号は前記Ｎ個の第１信号を含み、前記Ｎは正の整数であり、前記第２リソース設定情報は、干渉及び雑音測定又は総エネルギー測定を行うリソース位置又は第２信号を設定することに用いられる。
【０１１８】
選択肢として、幾つかの実施例では、前記測定モジュール４２０は更に、前記第１リソース設定情報により指示される第１信号を測定して、前記第１信号に対応する有用信号の情報を取得することに用いられる。
【０１１９】
選択肢として、幾つかの実施例では、前記測定モジュール４２０は更に、前記第１報告量がＬ１−ＳＩＮＲを含む場合、前記第２リソース設定情報により指示されるリソース位置又は第２信号に基づいて、対応する干渉及び雑音の情報を取得し、又は、前記第１報告量がＬ１−ＲＳＲＱを含む場合、前記第２リソース設定情報により指示されるリソース位置又は第２信号に基づいて、対応する総エネルギーを取得することに用いられる。
選択肢として、幾つかの実施例では、前記第１信号に対応する有用信号を取得することに用いられる帯域幅と、前記干渉及び雑音の情報を取得することに用いられるＲＥ及び帯域幅とは同じである。
【０１２０】
選択肢として、前記総エネルギーは、サービングセル、同周波数セルの信号及び雑音のエネルギーを含む。
【０１２１】
選択肢として、幾つかの実施例では、前記決定モジュール４１０は更に、
前記第１信号に対応する有用信号の情報、及び前記干渉及び雑音の情報に基づいて、前記第１信号に対応するＬ１−ＳＩＮＲの測定結果を決定し、又は、前記第１信号に対応する有用信号の情報、及び前記総エネルギーに基づいて、前記第１信号に対応するＬ１−ＲＳＲＱの測定結果を決定することに用いられる。
【０１２２】
選択肢として、幾つかの実施例では、前記干渉及び雑音測定のためのリソース位置は、干渉及び雑音測定のためのシンボル位置及び／又はサブキャリア位置を含む。
【０１２３】
選択肢として、幾つかの実施例では、前記リソース設定情報は更に第３リソース設定情報を含み、前記第３リソース設定情報は、干渉及び雑音測定を行うリソース位置又は第３信号を設定することに用いられる。
【０１２４】
選択肢として、幾つかの実施例では、前記第１信号と前記第２信号の送信ポートは１つである。
【０１２５】
選択肢として、幾つかの実施例では、前記第１信号の送信ポートは複数の第１送信ポートであり、前記第２信号の送信ポートは少なくとも１つの第２送信ポートであり、前記決定モジュール４１０は具体的に、
複数の第１送信ポートにおける各第１送信ポートに対応する有用信号の情報、及び各第２送信ポートに対応する干渉及び雑音の情報又は総エネルギーを決定することと、
前記各第１送信ポートの有用信号の情報、及び対応する第２送信ポートの干渉及び雑音の情報又は総エネルギーに基づいて、前記各第１送信ポートのＬ１−ＳＩＮＲ又はＬ１−ＲＳＲＱの測定結果を決定することと、
前記各第１送信ポートに対応するＬ１−ＳＩＮＲ又はＬ１−ＲＳＲＱの測定結果の平均値、最大値、又は最小値を、前記第１信号に対応するＬ１−ＳＩＮＲ又はＬ１−ＲＳＲＱの測定結果として決定することと、に用いられる。
【０１２６】
選択肢として、幾つかの実施例では、前記第１信号の送信ポートは複数の第１送信ポートであり、前記第２信号の送信ポートは少なくとも１つの第２送信ポートであり、前記決定モジュール４１０は具体的に、
複数の第１送信ポートにおける各第１送信ポートの有用信号の情報を決定し、前記複数の第１送信ポートにおける各第１送信ポートの有用信号の情報における平均値、最大値、又は最小値を、前記第１信号に対応する有用信号の情報として決定することと、
前記各第２送信ポートの干渉及び雑音の情報又は総エネルギーを決定し、前記少なくとも１つの第２送信ポートにおける前記各第２送信ポートの干渉及び雑音の情報又は総エネルギーにおける平均値、最大値、又は最小値を、対応する干渉及び雑音の情報又は総エネルギーとして決定することと、
前記第１信号に対応する有用信号の情報、及び対応する干渉及び雑音の情報又は総エネルギーに基づいて、前記第１信号に対応するＬ１−ＳＩＮＲ又はＬ１−ＲＳＲＱの測定結果を決定することと、に用いられる。
【０１２７】
選択肢として、幾つかの実施例では、前記測定待ち信号がＣＳＩ−ＲＳ及びＳＳＢにおける信号を含む場合、前記ＣＳＩ−ＲＳと前記ＳＳＢにおける信号は１対１に対応し、疑似コロケーション（ＱＣＬ）関係を満たす。
【０１２８】
選択肢として、幾つかの実施例では、前記測定待ち信号がＣＳＩ−ＲＳ及びＳＳＢにおける信号を含む場合、前記ＣＳＩ−ＲＳと前記ＳＳＢはＱＣＬ関係を満たさない。
【０１２９】
選択肢として、幾つかの実施例では、前記端末装置は更に、
周期的に、非周期的に、物理アップリンク共有チャネル（ＰＵＳＣＨ）において半持続的にフィードバック、物理アップリンク制御チャネル（ＰＵＣＣＨ）において半持続的にフィードバック、という方式のうちの１つで、前記ネットワーク装置に報告する必要がある信号を報告することに用いられる通信モジュールを備える。
【０１３０】
選択肢として、幾つかの実施例では、前記端末装置は更に、ビームグループに基づく信号報告をサポートするかどうかを前記端末装置に設定するように、ネットワーク装置からの第１設定情報を受信することに用いられる通信モジュールを備える。
【０１３１】
選択肢として、幾つかの実施例では、前記端末装置は更に、報告する信号の個数を設定するように、ネットワーク装置からの第２設定情報を受信することに用いられる通信モジュールを備える。
【０１３２】
選択肢として、幾つかの実施例では、前記端末装置は更に、ブロードバンドレポート又はサブバンドレポートを行うように前記端末装置を設定するために、ネットワーク装置からの第３設定情報を受信することに用いられる通信モジュールを備える。
【０１３３】
具体的に、該端末装置４００は上記方法２００に記載の端末装置に対応する（例えば、上記方法２００に記載の端末装置に配置される。又はそれ自体が上記方法２００に記載の端末装置である）ことができ、そして、該端末装置４００における各モジュール又はユニットは、それぞれ上記方法２００における端末装置の実行する各動作又は処理プロセスを実行することに用いられ、ここでは、簡潔のために、その詳しい説明を省略する。
【０１３４】
図５は本願実施例によるネットワーク装置の模式的なブロック図である。図５のネットワーク装置５００は、
端末装置にリソース設定情報を送信し、前記リソース設定情報は、前記端末装置が信号測定する測定待ち信号を決定して、前記測定待ち信号の第１報告量を測定し、前記測定待ち信号の第１報告量の測定結果を取得することに用いられ、前記第１報告量はレイヤ１‐参照信号受信電力（Ｌ１−ＲＳＲＰ）以外の他の報告量を含むことと、
前記端末装置から送信された報告結果を受信し、前記報告結果は、前記端末装置が前記測定待ち信号の前記第１報告量の測定結果に基づいて、前記測定待ち信号の中から決定した信号の情報を含むことと、に用いられる通信モジュール５１０を備える。
【０１３５】
選択肢として、幾つかの実施例では、前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）である。
【０１３６】
選択肢として、幾つかの実施例では、前記第１報告量は更に参照信号リソース識別子関連の情報を含む。
【０１３７】
選択肢として、幾つかの実施例では、前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含む。
【０１３８】
選択肢として、幾つかの実施例では、前記リソース設定情報は第１リソース設定情報のみを含み、前記第１リソース設定情報は、Ｌ１−ＲＳＲＰ、Ｌ１−ＳＩＮＲ又はＬ１−ＲＳＲＱのチャネル測定に用いられる。
【０１３９】
選択肢として、幾つかの実施例では、前記リソース設定情報は第１リソース設定情報及び第２リソース設定情報を含み、前記第１リソース設定情報により指示される信号は、チャネル測定を行って有用信号の情報を決定することに用いられ、前記第２リソース設定情報は、干渉及び雑音測定又は総エネルギー測定を行うリソース位置又は信号を設定することに用いられる。
【０１４０】
選択肢として、幾つかの実施例では、前記リソース設定情報は更に第３リソース設定情報を含み、前記第３リソース設定情報は、干渉及び雑音測定又は総エネルギー測定を行うリソース位置又は信号を設定することに用いられる。
【０１４１】
選択肢として、幾つかの実施例では、前記測定待ち信号は、チャネル状態情報参照信号（ＣＳＩ−ＲＳ）及び／又は同期信号ブロック（ＳＳＢ）における一部又は全部の信号である。
【０１４２】
選択肢として、幾つかの実施例では、前記測定待ち信号がＣＳＩ−ＲＳ及びＳＳＢにおける信号を含む場合、前記ＣＳＩ−ＲＳと前記ＳＳＢにおける信号は１対１に対応し、疑似コロケーション（ＱＣＬ）関係を満たす。
【０１４３】
選択肢として、幾つかの実施例では、前記信号がＣＳＩ−ＲＳ及びＳＳＢにおける信号を含む場合、前記ＣＳＩ−ＲＳと前記ＳＳＢはＱＣＬ関係を満たさない。
【０１４４】
選択肢として、幾つかの実施例では、前記通信モジュール５１０は更に、ビームグループに基づく信号報告をサポートするかどうかを前記端末装置に設定するように、前記端末装置に第１設定情報を送信することに用いられる。
【０１４５】
選択肢として、幾つかの実施例では、前記通信モジュール５１０は更に、報告する信号の個数を設定するように、前記端末装置に第２設定情報を送信することに用いられる。
【０１４６】
選択肢として、幾つかの実施例では、前記通信モジュール５１０は更に、ブロードバンドレポート又はサブバンドレポートを行うように前記端末装置を設定するために、前記端末装置に第３設定情報を送信することに用いられる。
【０１４７】
具体的に、該ネットワーク装置５００は上記方法３００に記載のネットワーク装置に対応する（例えば、上記方法３００に記載のネットワーク装置に配置される。又はそれ自体が上記方法３００に記載のネットワーク装置である）ことができ、そして、該ネットワーク装置５００における各モジュール又はユニットは、それぞれ上記方法３００におけるネットワーク装置の実行する各動作又は処理プロセスを実行することに用いられ、ここでは、簡潔のために、その詳しい説明を省略する。
【０１４８】
図６は本願実施例による通信装置６００の模式的な構造図である。図６に示す通信装置６００はプロセッサ６１０を備え、プロセッサ６１０はコンピュータプログラムをメモリから呼び出して実行することができ、それによって本願実施例における方法を実現する。
【０１４９】
選択肢として、図６に示すように、通信装置６００は更にメモリ６２０を備えてもよい。プロセッサ６１０はコンピュータプログラムをメモリ６２０から呼び出して実行することができ、それによって本願実施例における方法を実現する。
【０１５０】
メモリ６２０はプロセッサ６１０から独立した１つの単独のデバイスであってもよく、プロセッサ６１０に集積されてもよい。
【０１５１】
選択肢として、図６に示すように、通信装置６００は更に送受信機６３０を備えてもよく、プロセッサ６１０は該送受信機６３０が他の装置と通信するように制御することができ、具体的には、他の装置に情報又はデータを送信し、又は他の装置から送信される情報又はデータを受信することができる。
【０１５２】
送受信機６３０は送信機と受信機を備えてもよい。送受信機６３０は更にアンテナを備えてもよく、アンテナの数は１つ又は複数であってもよい。
【０１５３】
選択肢として、該通信装置６００は具体的に本願実施例のネットワーク装置であってもよく、そして該通信装置６００は本願実施例の各方法におけるネットワーク装置によって実現される相応のプロセスを実現でき、簡潔のために、ここでは繰り返して説明しない。
【０１５４】
選択肢として、該通信装置６００は具体的に本願実施例のモバイル端末／端末装置であってもよく、そして該通信装置６００は本願実施例の各方法におけるモバイル端末／端末装置によって実現される相応のプロセスを実現でき、簡潔のために、ここでは繰り返して説明しない。
【０１５５】
図７は本願実施例のチップの模式的な構造図である。図７に示すチップ７００はプロセッサ７１０を備え、プロセッサ７１０はコンピュータプログラムをメモリから呼び出して実行することができ、それによって本願実施例における方法を実現する。
【０１５６】
選択肢として、図７に示すように、チップ７００は更にメモリ７２０を備えてもよい。プロセッサ７１０はコンピュータプログラムをメモリ７２０から呼び出して実行することができ、それによって本願実施例における方法を実現する。
【０１５７】
メモリ７２０はプロセッサ７１０から独立した１つの単独のデバイスであってもよく、プロセッサ７１０に集積されてもよい。
【０１５８】
選択肢として、該チップ７００は更に入力インタフェース７３０を備えてもよい。プロセッサ７１０は該入力インタフェース７３０が他の装置又はチップと通信するように制御することができ、具体的には、他の装置又はチップから送信される情報又はデータを取得することができる。
【０１５９】
選択肢として、該チップ７００は更に出力インタフェース７４０を備えてもよい。プロセッサ７１０は該出力インタフェース７４０が他の装置又はチップと通信するように制御することができ、具体的には、他の装置又はチップに情報又はデータを出力することができる。
【０１６０】
選択肢として、該チップは本願実施例におけるネットワーク装置に適用されてもよく、そして該チップは本願実施例の各方法におけるネットワーク装置によって実現される相応のプロセスを実現でき、簡潔のために、ここでは繰り返して説明しない。
【０１６１】
選択肢として、該チップは本願実施例におけるモバイル端末／端末装置に適用されてもよく、そして該チップは本願実施例の各方法におけるモバイル端末／端末装置によって実現される相応のプロセスを実現でき、簡潔のために、ここでは繰り返して説明しない。
【０１６２】
理解されるように、本願実施例で言及されるチップはまた、システムレベルチップ、システムチップ、チップシステム、又はシステムオンチップ等と称されてもよい。
【０１６３】
図８は本願実施例による通信システム９００の模式的なブロック図である。図８に示すように、該通信システム９００は端末装置９１０とネットワーク装置９２０を備える。
【０１６４】
該端末装置９１０は上記の方法における端末装置によって実現される相応の機能を実現することに用いられることができ、そして該ネットワーク装置９２０は上記の方法におけるネットワーク装置によって実現される相応の機能を実現することに用いられることができ、簡潔のために、ここでは繰り返して説明しない。
【０１６５】
理解されるように、本願実施例のプロセッサは信号処理能力を有する集積回路チップであり得る。実現過程において、上記方法実施例の各ステップはプロセッサにおけるハードウェアの集積論理回路又はソフトウェア形式の命令で遂行できる。上記のプロセッサは、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェアコンポーネントであってもよい。本願実施例に開示される各方法、ステップ及び論理ブロック図を実現又は実行することができる。汎用プロセッサはマイクロプロセッサであってもよく、又は該プロセッサは如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１６６】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。例示的であって制限的ではない説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。尚、本明細書に説明されるシステム及び方法のメモリはこれらのメモリ及び任意の他の適切なタイプのメモリを含むが、これらに限らないように意図されている。
【０１６７】
理解されるように、上記メモリの記載は例示的であって制限的なものではなく、例えば、本願実施例におけるメモリは更に、スタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。即ち、本発明実施例におけるメモリはこれらのメモリ及び任意の他の適切なタイプのメモリを含むが、これらに限らないように意図されている。
【０１６８】
本願実施例は更にコンピュータ可読記憶媒体を提供し、コンピュータプログラムを記憶することに用いられる。
【０１６９】
選択肢として、該コンピュータ可読記憶媒体は本願実施例におけるネットワーク装置に適用されてもよく、そして該コンピュータプログラムは、コンピュータに本願実施例の各方法におけるネットワーク装置によって実現される相応のプロセスを実行させ、簡潔のために、ここでは繰り返して説明しない。
【０１７０】
選択肢として、該コンピュータ可読記憶媒体は本願実施例におけるモバイル端末／端末装置に適用されてもよく、そして該コンピュータプログラムは、コンピュータに本願実施例の各方法におけるモバイル端末／端末装置によって実現される相応のプロセスを実行させ、簡潔のために、ここでは繰り返して説明しない。
【０１７１】
本願実施例は更にコンピュータプログラム製品を提供し、コンピュータプログラム命令を含む。
【０１７２】
選択肢として、該コンピュータプログラム製品は本願実施例におけるネットワーク装置に適用されてもよく、そして該コンピュータプログラム命令は、コンピュータに本願実施例の各方法におけるネットワーク装置によって実現される相応のプロセスを実行させ、簡潔のために、ここでは繰り返して説明しない。
【０１７３】
選択肢として、該コンピュータプログラム製品は本願実施例におけるモバイル端末／端末装置に適用されてもよく、そして該コンピュータプログラム命令は、コンピュータに本願実施例の各方法におけるモバイル端末／端末装置によって実現される相応のプロセスを実行させ、簡潔のために、ここでは繰り返して説明しない。
【０１７４】
本願実施例は更にコンピュータプログラムを提供する。
【０１７５】
選択肢として、該コンピュータプログラムは本願実施例におけるネットワーク装置に適用されてもよく、該コンピュータプログラムがコンピュータにおいて実行される時、コンピュータは本願実施例の各方法におけるネットワーク装置によって実現される相応のプロセスを実行し、簡潔のために、ここでは繰り返して説明しない。
【０１７６】
選択肢として、該コンピュータプログラムは本願実施例におけるモバイル端末／端末装置に適用されてもよく、該コンピュータプログラムがコンピュータにおいて実行される時、コンピュータは本願実施例の各方法におけるモバイル端末／端末装置によって実現される相応のプロセスを実行し、簡潔のために、ここでは繰り返して説明しない。
【０１７７】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【０１７８】
当業者が明確に理解できるように、説明を容易且つ簡単にするために、上記説明されたシステム、装置及びユニットの具体的な動作過程は、前述の方法実施例における対応する過程を参照でき、ここでは繰り返して説明しない。
【０１７９】
本願に係る幾つかの実施例において、理解されるように、開示されるシステム、装置及び方法は他の方式で実現されてもよい。例えば、上記の装置実施例は単に模式的なものであり、例えば、前記ユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。尚、表示又は検討される相互間の結合又は直接結合又は通信接続は、幾つかのインタフェース、装置又はユニットを介した間接結合又は通信接続であってもよく、電気的、機械的、又は他の形態であってもよい。
【０１８０】
分離部材として説明される前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１８１】
また、本願の各実施例において、各機能ユニットは１つの処理ユニットに統合されてもよく、各ユニットは独立して物理的に存在してもよく、２つ以上のユニットが１つのユニットに統合されてもよい。
【０１８２】
前記機能は、ソフトウェア機能ユニットの形で実現され、そして独立した製品として販売又は使用される場合、コンピュータ読み取り可能な記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１８３】
以上の説明は単に本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は、特許請求の範囲に記載の保護範囲に準じるべきである。
【図１】
2022500888.tif 000003
【図２】
2022500888.tif 000004
【図３】
2022500888.tif 000005
【図４】
2022500888.tif 000006
【図５】
2022500888.tif 000007
【図６】
2022500888.tif 000008
【図７】
2022500888.tif 000009
【図８】
2022500888.tif 000010
【手続補正書】
【提出日】令和3年7月5日(2021.7.5)
【手続補正１】
【補正対象書類名】明細書
【補正対象項目名】０００８
【補正方法】変更
【補正の内容】
【０００８】
第４態様ではネットワーク装置を提供し、上記第２態様又は第２態様のいずれかの可能な実現方式における方法を実行することに用いられる。具体的に、該ネットワーク装置は、上記第２態様又は第２態様のいずれか１つの可能な実現方式における方法を実行するためのユニットを備える。
【手続補正２】
【補正対象書類名】明細書
【補正対象項目名】００１０
【補正方法】変更
【補正の内容】
【００１０】
第６態様ではネットワーク装置を提供し、該ネットワーク装置は、プロセッサ及びメモリを備える。該メモリはコンピュータプログラムを記憶することに用いられ、該プロセッサは該メモリに記憶されるコンピュータプログラムを呼び出して実行し、上記第２態様又はその各実現方式における方法を実行することに用いられる。
【手続補正３】
【補正対象書類名】明細書
【補正対象項目名】００８７
【補正方法】変更
【補正の内容】
【００８７】
図３は本願の他の実施例による信号報告の方法３００の模式的なフローチャートであり、該方法３００は図１に示す通信システムにおけるネットワーク装置によって実行されることができ、図３に示すように、該方法３００は、
ネットワーク装置が端末装置にリソース設定情報を送信し、前記リソース設定情報は、前記端末装置が信号測定する測定待ち信号を決定して、前記測定待ち信号の第１報告量を測定し、前記測定待ち信号の第１報告量の測定結果を取得することに用いられ、前記第１報告量はレイヤ１‐参照信号受信電力（Ｌ１−ＲＳＲＰ）以外の他の報告量を含むＳ３１０と、
前記ネットワーク装置が前記端末装置から送信された報告結果を受信し、前記報告結果は、前記端末装置が前記測定待ち信号の前記第１報告量の測定結果に基づいて、前記測定待ち信号の中から決定した信号の情報を含むＳ３１０と、を含む。
【手続補正４】
【補正対象書類名】特許請求の範囲
【補正対象項目名】全文
【補正方法】変更
【補正の内容】
【特許請求の範囲】
【請求項１】
信号報告の方法であって、
端末装置がリソース設定情報に基づいて、信号測定に用いる測定待ち信号を決定することと、
前記端末装置が前記測定待ち信号の第１報告量に対して測定を行って、前記測定待ち信号の前記第１報告量の測定結果を取得し、前記第１報告量はレイヤ１‐参照信号受信電力（Ｌ１−ＲＳＲＰ）以外の他の報告量を含むことと、
前記端末装置が前記測定待ち信号の前記第１報告量の測定結果に基づいて、前記測定待ち信号の中から報告する必要がある１つの又は複数の信号を決定することと、を含むことを特徴とする信号報告の方法。
【請求項２】
前記レイヤ１‐参照信号受信電力（Ｌ１−ＲＳＲＰ）以外の他の報告量は、レイヤ１‐信号対干渉雑音比（Ｌ１−ＳＩＮＲ）又はレイヤ１‐参照信号受信品質（Ｌ１−ＲＳＲＱ）であることを特徴とする請求項１に記載の方法。
【請求項３】
前記第１報告量は更に参照信号リソース識別子関連の情報を含むことを特徴とする請求項２に記載の方法。
【請求項４】
前記参照信号リソース識別子関連の情報は、チャネル状態情報参照信号（ＣＳＩ−ＲＳ）リソースのインデックス情報及び／又は同期信号ブロック（ＳＳＢ）のインデックス情報を含むことを特徴とする請求項３に記載の方法。
【請求項５】
前記端末装置が前記測定待ち信号の第１報告量に対して測定を行って、前記測定待ち信号の前記第１報告量の測定結果を取得することは、
前記端末装置が前記測定待ち信号に対して測定を行って、有用信号の情報を取得することと、
前記端末装置が対応する干渉及び雑音の情報又は総受信エネルギーを取得することと、
前記端末装置が前記有用信号の情報、及び前記干渉及び雑音の情報又は前記総受信エネルギーに基づいて、前記測定待ち信号のＬ１−ＳＩＮＲ又はＬ１−ＲＳＲＱの測定結果を決定することと、を含むことを特徴とする請求項１乃至４のいずれか１項に記載の方法。
【請求項６】
前記リソース設定情報は第１リソース設定情報のみを含み、前記第１リソース設定情報はＮ個の第１信号を指示することに用いられ、前記測定待ち信号は前記Ｎ個の第１信号を含み、前記Ｎは正の整数であり、前記端末装置が前記測定待ち信号に対して測定を行って、有用信号の情報を取得することは、
前記端末装置が前記第１リソース設定情報により指示される第１信号を測定して、前記第１信号に対応する有用信号の情報を取得することを含むことを特徴とする請求項５に記載の方法。
【請求項７】
前記端末装置が対応する干渉及び雑音の情報又は総エネルギーを取得することは、
前記第１報告量がＬ１−ＳＩＮＲを含む場合、前記端末装置が前記第１信号を搬送する１つの又は複数のリソースエレメント（ＲＥ）において、前記第１信号に対応する干渉及び雑音の情報を取得し、又は、
前記第１報告量がＬ１−ＲＳＲＱを含む場合、前記端末装置が前記第１信号を搬送する一部又は全部のシンボルに基づいて、前記第１信号に対応する総エネルギーを取得することを含むことを特徴とする請求項６に記載の方法。
【請求項８】
前記端末装置が前記有用信号の情報、及び前記干渉及び雑音の情報、又は前記総エネルギーに基づいて、前記測定待ち信号のＬ１−ＳＩＮＲ又はＬ１−ＲＳＲＱの測定結果を決定することは、
前記端末装置が、前記第１信号に対応する有用信号の情報、及び前記第１信号に対応する前記干渉及び雑音の情報に基づいて、前記第１信号に対応するＬ１−ＳＩＮＲの測定結果を決定し、又は、
前記端末装置が前記第１信号に対応する有用信号の情報、及び前記第１信号に対応する前記総エネルギーに基づいて、前記第１信号に対応するＬ１−ＲＳＲＱの測定結果を決定することを含むことを特徴とする請求項７に記載の方法。
【請求項９】
端末装置であって、
リソース設定情報に基づいて、信号測定に用いる測定待ち信号を決定することに用いられる決定モジュールと、
前記測定待ち信号の第１報告量に対して測定を行って、前記測定待ち信号の前記第１報告量の測定結果を取得することに用いられ、前記第１報告量はレイヤ１‐参照信号受信電力（Ｌ１−ＲＳＲＰ）以外の他の報告量を含む測定モジュールと、を備え、
前記決定モジュールは更に、前記測定待ち信号の前記第１報告量の測定結果に基づいて、前記測定待ち信号の中から報告する必要がある１つの又は複数の信号を決定することに用いられることを特徴とする端末装置。
【請求項１０】
前記測定モジュールは具体的に、
前記測定待ち信号に対して測定を行って、有用信号の情報を取得することと、
対応する干渉及び雑音の情報又は総受信エネルギーを取得することと、に用いられ、
前記決定モジュールは更に、前記有用信号の情報、及び前記干渉及び雑音の情報又は前記総受信エネルギーに基づいて、前記測定待ち信号のＬ１−ＳＩＮＲ又はＬ１−ＲＳＲＱの測定結果を決定することに用いられ、
前記リソース設定情報は第１リソース設定情報のみを含み、前記第１リソース設定情報はＮ個の第１信号を指示することに用いられ、前記測定待ち信号は前記Ｎ個の第１信号を含み、前記Ｎは正の整数であり、前記測定モジュールは更に、
前記第１リソース設定情報により指示される第１信号を測定して、前記第１信号に対応する有用信号の情報を取得することに用いられることを特徴とする請求項９に記載の端末装置。
【請求項１１】
前記第１信号の送信ポートは複数であり、前記決定モジュールは具体的に、
複数ポートにおける各ポートに対応する有用信号の情報、及び前記各ポートに対応する干渉及び雑音の情報を決定することと、
前記各ポートに対応する有用信号の情報、及び前記各ポートに対応する干渉及び雑音又は総エネルギーの情報に基づいて、前記各ポートに対応するＬ１−ＳＩＮＲ又はＬ１−ＲＳＲＱの測定結果を決定することと、
前記各ポートに対応するＬ１−ＳＩＮＲ又はＬ１−ＲＳＲＱの測定結果の平均値、最大値、又は最小値を、前記第１信号に対応するＬ１−ＳＩＮＲ又はＬ１−ＲＳＲＱの測定結果として決定することと、に用いられることを特徴とする請求項１０に記載の端末装置。
【請求項１２】
前記第１信号の送信ポートは複数であり、前記決定モジュールは具体的に、
複数ポートにおける各ポートに対応する有用信号の情報を決定し、前記複数ポートにおける各ポートに対応する有用信号の情報における平均値、最大値、又は最小値を、前記第１信号に対応する有用信号の情報として決定することと、
前記各ポートに対応する干渉及び雑音又は総エネルギーの情報を決定し、前記複数ポートにおける前記各ポートに対応する干渉及び雑音の情報又は総エネルギーにおける平均値、最大値、又は最小値を、前記第１信号に対応する干渉及び雑音の情報又は総エネルギーとして決定することと、
前記第１信号に対応する有用信号の情報、及び前記第１信号に対応する干渉及び雑音の情報又は総エネルギーに基づいて、前記第１信号に対応するＬ１−ＳＩＮＲ又はＬ１−ＲＳＲＱの測定結果を決定することと、に用いられることを特徴とする請求項１０に記載の端末装置。
【請求項１３】
前記リソース設定情報は第１リソース設定情報及び第２リソース設定情報を含み、前記第１リソース設定情報はＮ個の第１信号を指示することに用いられ、前記測定待ち信号は前記Ｎ個の第１信号を含み、前記Ｎは正の整数であり、前記第２リソース設定情報は、干渉及び雑音測定又は総エネルギー測定を行うリソース位置又は第２信号を設定することに用いられることを特徴とする請求項９に記載の端末装置。
【請求項１４】
前記測定モジュールは更に、
前記第１リソース設定情報により指示される第１信号を測定して、前記第１信号に対応する有用信号の情報を取得することと、
前記第１報告量がＬ１−ＳＩＮＲを含む場合、前記第２リソース設定情報により指示されるリソース位置又は第２信号に基づいて、対応する干渉及び雑音の情報を取得し、又は、前記第１報告量がＬ１−ＲＳＲＱを含む場合、前記第２リソース設定情報により指示されるリソース位置又は第２信号に基づいて、対応する総エネルギーを取得することと、に用いられることを特徴とする請求項１３に記載の端末装置。
【請求項１５】
ネットワーク装置であって、
端末装置にリソース設定情報を送信し、前記リソース設定情報は、前記端末装置が信号測定する測定待ち信号を決定して、前記測定待ち信号の第１報告量を測定し、前記測定待ち信号の第１報告量の測定結果を取得することに用いられ、前記第１報告量はレイヤ１‐参照信号受信電力（Ｌ１−ＲＳＲＰ）以外の他の報告量を含むことと、
前記端末装置から送信された報告結果を受信し、前記報告結果は、前記端末装置が前記測定待ち信号の前記第１報告量の測定結果に基づいて、前記測定待ち信号の中から決定した信号の情報を含むことと、に用いられる通信モジュールを備えることを特徴とするネットワーク装置。
【国際調査報告】
2022500888.tif 000011
2022500888.tif 000012
2022500888.tif 000013
2022500888.tif 000014